(57)【要約】【課題】図柄の変動表示が途切れずに遊技者の興味を遊技に引き付けておくことを可能とする。【解決手段】第１始動口と第２始動口とを設け、それぞれの始動口に対応する演出表示装置で図柄の変動表示を行うとともに、保留数もそれぞれの始動口に対して記憶する。また、第１始動口は開口可能に構成し、保留数表示装置には第１始動口に対する保留数を表示する。こうすれば、遊技者は専ら第１始動口および第１始動口に対する図柄の変動表示に着目して遊技を行うことになるので、遊技が複雑になることがない。加えて、第１始動口の保留が少なくなった場合には、第２始動口の保留も保留数表示装置に表示させ、第２始動口の保留の消化も、第１始動口に対する演出表示装置で図柄を変動表示させて行う。こうすれば、遊技を複雑にすることなく、図柄の変動表示が途切れ難い遊技機を提供することが可能となる。【選択図】図２７
2008149034.tif 000002
【特許請求の範囲】
【請求項１】
複数の入球口が設けられた遊技盤面上に遊技球を発射し、発射した遊技球が何れかの入球口に入球すると、賞球として所定個数の遊技球が払い出される遊技を行う弾球遊技機において、
開口部に可動部材が設けられて、通常状態と、該通常状態よりも遊技球の入球の容易な開口状態とに切り換え可能に構成された第１始動口と、
前記第１始動口とは別体に設けられた第２始動口と、
前記第１始動口に入球したことを契機として第１の演出用図柄の変動表示を行う第１演出表示装置と、
前記第２始動口に入球したことを契機として第２の演出用図柄の変動表示を行う第２演出表示装置と、
前記第１演出表示装置または前記第２演出表示装置での変動表示中に前記第１始動口に遊技球が入球すると、該入球に対する変動表示が該第１演出表示装置で行われるまで、該入球した遊技球数を第１保留数として記憶しておく第１保留数記憶手段と、
前記第１演出表示装置または前記第２演出表示装置での変動表示中に前記第２始動口に遊技球が入球すると、該入球に対する変動表示が該第２演出表示装置で行われるまで、該入球した遊技球数を第２保留数として記憶しておく第２保留数記憶手段と、
前記第１保留数記憶手段に記憶されている第１保留数を表示する保留数表示装置と、
前記第１保留数が所定値以下となったことを検出すると、該第１保留数に前記第２保留数を加えた保留数を、該第１保留数に変えて前記保留数表示装置に表示させる保留数変更表示手段と、
前記第１保留数が所定値以下となったことを検出すると、前記第１演出表示装置における前記第１の演出用図柄の変動表示を、前記第２保留数に対して実行する第２保留変動表示実行手段と
を備えることを特徴とする弾球遊技機。
【請求項２】
請求項１に記載の弾球遊技機において、
前記第２始動口は、開口部に可動部材が設けられていない固定式の入球口であり、
前記第１演出表示装置は、前記第２演出表示装置よりも広い面積を用いて前記演出用図柄の変動表示を行うことを特徴とする弾球遊技機。
【請求項３】
請求項１または請求項２に記載の弾球遊技機において、
前記遊技盤面上には、遊技球の通過可能な通過ゲートが設けられており、
前記通過ゲートを遊技球が通過したことを契機として前記第１始動口を開口状態とする第１始動口開口手段を備えることを特徴とする弾球遊技機。
【請求項４】
複数の入球口が設けられた遊技盤面上に遊技球を発射し、発射した遊技球が何れかの入球口に入球すると、賞球として所定個数の遊技球が払い出される遊技を行う弾球遊技機において、
開口部に可動部材が設けられて、通常状態と、該通常状態よりも遊技球の入球の容易な開口状態とに切り換え可能に構成された第１始動口と、
前記第１始動口とは別体に設けられた第２始動口と、
前記第１始動口に入球したことを契機として第１の演出用図柄の変動表示を行う第１演出表示装置と、
前記第２始動口に入球したことを契機として第２の演出用図柄の変動表示を行う第２演出表示装置と、
前記第１演出表示装置または前記第２演出表示装置での変動表示中に前記第１始動口に遊技球が入球すると、該入球に対する変動表示が該第１演出表示装置で行われるまで、該入球した遊技球数を第１保留数として記憶しておく第１保留数記憶手段と、
前記第１演出表示装置または前記第２演出表示装置での変動表示中に前記第２始動口に遊技球が入球すると、該入球に対する変動表示が該第２演出表示装置で行われるまで、該入球した遊技球数を第２保留数として記憶しておく第２保留数記憶手段と、
前記第１保留数記憶手段に記憶されている第１保留数を表示する第１保留数表示装置と、
前記第２保留数記憶手段に記憶されている第２保留数を表示する第２保留数表示装置と、
前記第１保留数が所定値以下となったことを検出すると、該第１保留数に前記第２保留数を加えた保留数を、該第１保留数に変えて前記保留数表示装置に表示させる保留数変更表示手段と、
前記第１保留数が所定値以下となったことを検出すると、前記第１演出表示装置における前記第１の演出用図柄の変動表示を、前記第２保留数に対して実行する第２保留変動表示実行手段と
を備えることを特徴とする弾球遊技機。
【発明の詳細な説明】
【技術分野】
【０００１】
本発明は、パチンコ機などの、遊技盤面上に向けて遊技球を発射して遊技を行う弾球遊技機に関する。
【背景技術】
【０００２】
複数の入球口が設けられた遊技盤面上で遊技球を発射し、遊技球が何れかの入球口に入球すると、所定個数の遊技球が賞球として払い出される遊技を行う弾球遊技機が広く知られている。中でも、演出用の図柄を変動表示可能な演出表示装置が遊技盤面上に設けられており、始動口と呼ばれる特別な入球口に遊技球が入球すると、演出表示装置で演出用図柄の変動表示が開始されて所定の図柄が停止表示されると、通常時は閉鎖されている大入賞口が開口状態となって、いわゆる大当り遊技が開始されるタイプの弾球遊技機は、今日では特に広く普及している。
【０００３】
このような大当り遊技を行う弾球遊技機では、演出表示装置で演出用図柄の変動表示を開始するためには、始動口に遊技球を入球させなければならないが、始動口に遊技球を入球させることはそれほど容易ではない。そこで、始動口を開口可能に構成するとともに遊技盤面に通過ゲートを設けておき、通過ゲートに遊技球を通過させることによって始動口を開口させ、次いで、開口した始動口に遊技球を入球させて、演出表示装置での演出用図柄の変動表示を開始する技術が提案されている（特許文献１、特許文献２など）。
【０００４】
また、複数の始動口を設けておき、何れかの始動口に遊技球が入球したら、入球した始動口に対応する演出表示装置で、演出用図柄の変動表示を開始する技術も提案されている（特許文献３）。
【０００５】
【特許文献１】特開２００３−１２６４０４号公報
【特許文献２】特開２００３−１９０５３２号公報
【特許文献３】特開２００６−１４９３２号公報
【発明の開示】
【発明が解決しようとする課題】
【０００６】
しかし、遊技球が通過ゲートを通過することで始動口が開口状態となり、始動口への遊技球の入球が容易となる技術では、先ず初めに、始動口ではなく通過ゲートを狙って遊技球を発射し、通過ゲートに遊技球を通過させて始動口を開口させることができたら、次は始動口を狙って遊技球を発射して、開口した始動口に遊技球を入球させるという二段階の手順を経ることになる。このため、演出表示装置での図柄の変動表示が途切れがちとなり、結果として、遊技者の興趣を引き付けておくことが難しいという問題がある。
【０００７】
また、複数の始動口を設けたのでは、遊技者は、何れの始動口を狙って遊技球を発射すれば良いのか迷ってしまい、遊技が複雑に感じられる。その結果、遊技者の興趣を引き付けておくことが難しい。
【０００８】
この発明は、従来の技術における上述した課題を解決するためになされたものであり、平易な遊技性を保ったまま、演出表示装置で演出用図柄の変動表示が途切れがちになることを回避することで、遊技者の興趣を引き付けておくことが可能な弾球遊技機の提供を目的とする。
【課題を解決するための手段】
【０００９】
上述した課題の少なくとも一部を解決するために、本発明の第１の弾球遊技機は次の構成を採用した。すなわち、
複数の入球口が設けられた遊技盤面上に遊技球を発射し、発射した遊技球が何れかの入球口に入球すると、賞球として所定個数の遊技球が払い出される遊技を行う弾球遊技機において、
開口部に可動部材が設けられて、通常状態と、該通常状態よりも遊技球の入球の容易な開口状態とに切り換え可能に構成された第１始動口と、
前記第１始動口とは別体に設けられた第２始動口と、
前記第１始動口に入球したことを契機として第１の演出用図柄の変動表示を行う第１演出表示装置と、
前記第２始動口に入球したことを契機として第２の演出用図柄の変動表示を行う第２演出表示装置と、
前記第１演出表示装置または前記第２演出表示装置での変動表示中に前記第１始動口に遊技球が入球すると、該入球に対する変動表示が該第１演出表示装置で行われるまで、該入球した遊技球数を第１保留数として記憶しておく第１保留数記憶手段と、
前記第１演出表示装置または前記第２演出表示装置での変動表示中に前記第２始動口に遊技球が入球すると、該入球に対する変動表示が該第２演出表示装置で行われるまで、該入球した遊技球数を第２保留数として記憶しておく第２保留数記憶手段と、
前記第１保留数記憶手段に記憶されている第１保留数を表示する保留数表示装置と、
前記第１保留数が所定値以下となったことを検出すると、該第１保留数に前記第２保留数を加えた保留数を、該第１保留数に変えて前記保留数表示装置に表示させる保留数変更表示手段と、
前記第１保留数が所定値以下となったことを検出すると、前記第１演出表示装置における前記第１の演出用図柄の変動表示を、前記第２保留数に対して実行する第２保留変動表示実行手段と
を備えることを特徴とする。
【００１０】
かかる本発明の第１の弾球遊技機においては、第１始動口と第２始動口とが設けられており、第１始動口に遊技球が入球すると第１演出表示装置で第１の演出用図柄の変動表示が行われ、第２始動口に遊技球が入球すると第２演出表示装置で第２の演出用図柄の変動表示が行われる。また、これら演出用図柄の変動表示中に第１始動口あるいは第２始動口に遊技球が入球すると、第１始動口へ入球した遊技球数は第１保留数として、第２始動口へ入球した遊技球数は第２保留数として、それぞれ別々に蓄えられるが、保留数表示装置には、第１保留数が表示されるようになっている。そして、第１保留数が所定値以下となった場合には、第１保留数に第２保留数を加えた保留数が保留数表示装置に表示されるとともに、第２保留数に対しても、第１演出表示装置において第１の演出用図柄の変動表示が行われるようになっている。
【００１１】
第１始動口は、開口部に可動部材が設けられて、通常状態と開口状態とに切り換え可能に構成されており、しかも、保留数表示装置には、第１始動口に遊技球が入球したことによる保留数が表示されるから、遊技者はいきおい、第１始動口と第１演出表示装置とに着目して遊技を行うことになる。その結果、第２始動口に遊技球を入球させることや、第２始動口への入球に伴う第２演出表示装置での変動表示には、あまり注意することなく遊技を行うようになるので、複数の始動口が設けられているにも拘わらず遊技が複雑になることを回避することが可能となる。その一方で、第１始動口に遊技球が入球したことによる保留数（第１保留数）が蓄えられるだけでなく、第２始動口に遊技球が入球したことによる保留数（第２保留数）も蓄えられており、第１保留数が所定値以下となった場合には、第１保留数に第２保留数を加えた保留数が保留数表示装置に表示される。そして、保留数表示装置に表示されている保留が第２始動口に入球したことによる保留（第２保留数）であっても、第１演出表示装置で第１の演出用図柄の変動表示が行われる。このため、遊技者が遊技中に着目する第１演出表示装置での演出用図柄の変動表示が途切れ難くなり、その結果として、遊技者の興味を遊技に引き付けておくことが可能となる。
【００１２】
また、こうした本発明の第１の弾球遊技機においては、第２始動口を、開口部に可動部材が設けられていない固定式の入球口とするとともに、第１演出表示装置では、第２演出表示装置よりも広い面積を用いて演出用図柄の変動表示を行うようにしてもよい。
【００１３】
遊技盤面には第１始動口や第２始動口だけでなく、一般の入球口も設けられていることが通常であり、これら一般の入球口は、開口部に可動部材が設けられていない固定式の入球口であることが通常である。従って、第２始動口も固定式の入球口としておけば、遊技者にとっては、第２始動口と一般の入球口との区別が付き難くなるので、二つの始動口が設けられていることを意識せずに遊技を進めることができる。加えて、第１始動口に遊技球が入球したことによって変動表示を開始する第１演出表示装置は、第２演出表示装置よりも広い面積を用いて演出用図柄の変動表示を行うので、遊技者の注意は、第２演出表示装置での変動表示よりも第１演出表示装置での変動表示に引き付けられる。特に、第２始動口が、演出用図柄の変動表示とは無関係な一般の入球口と区別し難い態様で設けられているために、第２演出表示装置で変動表示が開始されても、始動口への入球とは関係のない何らかの演出と感じるので、複数の演出表示装置が設けられていることを意識することなく遊技を行うことができる。結局、遊技者は、複数の始動口および複数の演出表示装置が搭載されていることを意識することなく遊技を行うことができるので、遊技が複雑になることがない。それでいながら、第１保留数が所定値以下に減少すると、第２保留数も保留数表示装置に表示され、第１演出表示装置で第１の演出用図柄の変動表示が行われる。このため、第１演出表示装置での変動表示が途切れ難く、遊技者の興味を遊技に引き付けておくことの可能な弾球遊技機を提供することが可能となる。
【００１４】
また、上述した本発明の第１の弾球遊技機においては、遊技球の通過可能な通過ゲートを、遊技盤面上に設けておき、遊技球が通過ゲートを通過すると、これを契機として第１始動口を開口状態とするようにしてもよい。
【００１５】
第１始動口が開口状態となれば遊技球を入球させ易くなるので、第１演出表示装置で演出用図柄を変動表示させ易くなる。従って、通過ゲートを遊技球が通過することで第１始動口が開口するようにしておけば、第１演出表示装置で変動表示を開始させる楽しみだけでなく、通過ゲートを通過させて第１始動口を開口状態とする楽しみを付加することができる。もっとも、その一方では、第１演出表示装置で変動表示を開始するために、通過ゲートを通過させて第１始動口を開口状態とする新たな段階が付加されるので、第１始動口に遊技球を入球させることができず、第１演出表示装置での変動表示が途切れがちになるおそれもある。この点で、本願発明の弾球遊技機では、第１保留数が所定値以下に減少すると、第２保留数も保留表示装置に表示されて、第１演出表示装置での変動表示が行われるので、通過ゲートを設けたことにより第１演出表示装置での変動表示が途切れがちになるおそれを回避しつつ、通過ゲートに遊技球を通過させて、第１始動口を開口させる楽しみも、遊技者に享受させることが可能となる。
【００１６】
また、本発明の弾球遊技機は、次のような形態で把握することも可能である。すなわち、本発明の第２の弾球遊技機は、
複数の入球口が設けられた遊技盤面上に遊技球を発射し、発射した遊技球が何れかの入球口に入球すると、賞球として所定個数の遊技球が払い出される遊技を行う弾球遊技機において、
開口部に可動部材が設けられて、通常状態と、該通常状態よりも遊技球の入球の容易な開口状態とに切り換え可能に構成された第１始動口と、
前記第１始動口とは別体に設けられた第２始動口と、
前記第１始動口に入球したことを契機として第１の演出用図柄の変動表示を行う第１演出表示装置と、
前記第２始動口に入球したことを契機として第２の演出用図柄の変動表示を行う第２演出表示装置と、
前記第１演出表示装置または前記第２演出表示装置での変動表示中に前記第１始動口に遊技球が入球すると、該入球に対する変動表示が該第１演出表示装置で行われるまで、該入球した遊技球数を第１保留数として記憶しておく第１保留数記憶手段と、
前記第１演出表示装置または前記第２演出表示装置での変動表示中に前記第２始動口に遊技球が入球すると、該入球に対する変動表示が該第２演出表示装置で行われるまで、該入球した遊技球数を第２保留数として記憶しておく第２保留数記憶手段と、
前記第１保留数記憶手段に記憶されている第１保留数を表示する第１保留数表示装置と、
前記第２保留数記憶手段に記憶されている第２保留数を表示する第２保留数表示装置と、
前記第１保留数が所定値以下となったことを検出すると、該第１保留数に前記第２保留数を加えた保留数を、該第１保留数に変えて前記保留数表示装置に表示させる保留数変更表示手段と、
前記第１保留数が所定値以下となったことを検出すると、前記第１演出表示装置における前記第１の演出用図柄の変動表示を、前記第２保留数に対して実行する第２保留変動表示実行手段と
を備えることを特徴とする。
【００１７】
このような形態で把握される本発明の第２の弾球遊技機では、第１始動口に遊技球が入球したことによる保留数は第１保留数記憶手段に記憶されるとともに、第１保留数表示装置に表示される。同様に、第２始動口に遊技球が入球したことによる保留数は第２保留数記憶手段に記憶され、第２保留数表示装置に表示される。また、第１保留数に対しては第１演出表示装置で変動表示が行われ、第２保留数に対しては第２演出表示装置で変動表示が行われるが、第１保留数が所定値以下となった場合には、本来は第１保留数を表示する第１保留数表示装置に、第２保留数も加えて表示される。更に、本来は第１保留数に対して変動表示を行う第１演出表示装置でも、第２保留数に対する変動表示が行われるようになっている。
【００１８】
こうすれば、第１保留数が所定値以下となった場合には、第２保留数を第１保留数表示装置に表示させ、第１演出表示装置で変動表示を行うことができるので、第１演出表示装置での変動表示が途切れることを回避することができる。しかも、第１始動口には、開口部に可動部材が設けられて、通常状態と開口状態とに切り換え可能に構成されていることから、始動口であることが遊技者に認識され易く、遊技者はもっぱら、第１始動口と、第１保留表示装置と、第１演出表示装置とを見ながら遊技を行う傾向にある。このため、複数の始動口が設けられていることを遊技者に意識させることが無く、遊技が複雑になることもない。加えて、第１保留数が所定値よりも多く蓄えられている間は、第２始動口への入球や、第２保留数の表示や、第２演出表示装置での変動表示には、遊技者の注意が向けられないので、第１保留数が所定値以下となった場合に、第２保留数が第１保留表示装置に追加して表示されたとしても、遊技者にとっては、第２保留数が第１保留数に振り替わったのではなく、気付かない間に第１始動口に入球して保留数が溜まったかのように感じられることになる。このため、単に第２保留数が第１保留数に振り替わったのとは異なり、遊技者には遊技が順調に進んでいるように感じられるので、遊技者の興味を遊技に引き付けておくことが可能となる。
【発明を実施するための最良の形態】
【００１９】
以下では、上述した本願発明の内容を明確にするために、次のような順序に従って実施例を説明する。
Ａ．パチンコ機の装置構成：
Ａ−１．装置前面側の構成：
Ａ−２．遊技盤の構成：
Ａ−３．中央装置の構成：
Ａ−４．制御回路の構成：
Ｂ．遊技の概要：
Ｃ．制御の概要：
Ｃ−１．遊技制御処理：
Ｃ−２．特別図柄遊技処理：
Ｃ−２−１．左特別図柄関連処理：
Ｃ−２−２．右特別図柄関連処理：
Ｃ−３．特別電動役物遊技処理：
Ｄ．演出制御処理：
【００２０】
Ａ．パチンコ機の装置構成  ：
Ａ−１．装置前面側の構成  ：
図１は、本実施例の遊技機１の正面図である。図１に示すように、遊技機１の前面部は、大きくは、前面枠４、上皿部５、下皿部６、遊技盤１０などから構成されている。なお、図１では遊技盤１０の詳細な図示を省略している。前面枠４は、図示しない中枠３に取り付けられており、中枠３は図示しない本体枠２に取り付けられている。中枠３はプラスチック材料で成形されており、本体枠２の内側に取り付けられている。本体枠２は、木製の板状部材を組み立てて構成された略長方形の枠体であり、遊技機１の外枠を形成している。前面枠４の一端は、中枠３に対して回動可能に軸支されており、中枠３の一端は本体枠２に対して回動可能に軸支されている。遊技盤１０は、中枠３の前面側に着脱可能に取り付けられており、その前面側が前面枠４で覆われている。
【００２１】
前面枠４は、プラスチック材料で成形されており、略中央部には、円形状の開口部４ａが形成されている。この開口部４ａにはガラス板等の透明板がはめ込まれており、奥側に配置される遊技盤１０の盤面が視認可能となっている。また、前面枠４には、遊技効果を高めるための各種ランプ類４ｂ〜４ｆが設けられている。
【００２２】
前面枠４の下方には、上皿部５が設けられており、上皿部５の下方には下皿部６が設けられている。また、前面枠４の右側には施錠装置９が設けられており、前面枠４の左側にはプリペイドカード式の球貸装置１３（ＣＲユニット）が設けられている。
【００２３】
上皿部５には、皿状の凹部と、凹部を取り巻くように形成された皿外縁部５ａとが設けられている。遊技球は、上皿部５に形成された凹部に投入されて、発射装置ユニット１２（図５参照）に供給される。また、皿外縁部５ａには、遊技球の球貸スイッチ５ｂ、返却スイッチ５ｃ、投入した遊技球を排出するための排出ボタンなど、各種のボタン類が設けられている。さらに、上皿部５の略中央部には複数の長孔とその上部に多数の小穴が形成された第１スピーカ５ｙが設けられている。更に、上皿部５の手前側（遊技者側）には、２つの操作スイッチＳＷ１，ＳＷ２が設けられている。遊技者は、このスイッチを押すことによって、遊技中に遊技条件を変更するなど、遊技の進行に介入することが可能となっている。
【００２４】
下皿部６には、遊技機１の内部から遊技球を排出するための排出口６ａが設けられており、排出された遊技球は下皿部６内に貯留される。また、下皿部６の下面の左右には、第２スピーカ６ｃが設けられている。
【００２５】
下皿部６の右端には発射ハンドル８が設けられている。発射ハンドル８には、遊技者がハンドルに触れていることを検出するタッチスイッチ８ａが設けられている。発射ハンドル８の回転軸は、下皿部６の奥側に搭載された図示しない発射装置ユニット１２に接続されており、遊技者が発射ハンドル８を回転させると、その動きが発射装置ユニット１２に伝達され、ユニットに内蔵された図示しない発射モータが回転して、回転角度に応じた強さで遊技球が発射される。発射ハンドル８の左側面には、遊技者が操作して遊技球の発射を一時的に停止する発射停止スイッチ８ｂが配置されている。
【００２６】
Ａ−２．遊技盤の構成  ：
図２は、遊技盤１０の盤面構成を示す説明図である。前述したように、遊技盤１０は中枠３の前面側に着脱可能に取り付けられている。図２に示すように、遊技盤１０の中央には、外レール１４と内レール１５とによって囲まれた略円形状の遊技領域１１が形成されている。
【００２７】
遊技領域１１の略中央には中央装置４０が設けられている。中央装置４０は、後述するように、可動役物や、各種図柄の表示装置、演出用のランプ類などが組み込まれて構成されており、遊技の進行状況に応じて、役物が動いたり、各種図柄が変動表示したり、あるいはランプ類が点灯するようになっている。中央装置４０の構成については、別図を用いて詳しく説明する。
【００２８】
中央装置４０の上方には、上始動口（普通電動役物）１７が設けられている。上始動口（普通電動役物）１７は、左右に一対の翼片部が開閉可能に構成されたいわゆるチューリップ式の始動口である。上始動口１７の内部には、遊技球の通過を検出する上始動口（普通電動役物）スイッチ１７ｓ（図６参照）と、翼片部を作動させるための普通電動役物（始動口）ソレノイド１７ｍ（図６参照）とが備えられている。一対の翼片部が左右に開くと、遊技球の入球可能性が大きくなる開口状態となり、一対の翼片部が直立して、遊技球の入球可能性が小さくなる通常状態となる。上始動口１７に遊技球が入球すると、所定個数の遊技球が賞球として払い出されるとともに、中央装置４０に設けられた各種図柄の表示装置では、入球が契機となって図柄の変動表示が開始されるようになっている。
【００２９】
中央装置４０の下方には、大入賞口３１ｄが設けられている。大入賞口３１ｄは、通常時は、遊技球が入球不能な状態に閉鎖されているが、後述する所定の条件が成立すると開口状態となり、この結果、遊技球が高い確率で大入賞口３１ｄに入球することとなって、遊技者にとって有利な遊技状態である大当り遊技状態（特別遊技状態と呼ばれることもある）が開始される。また、大入賞口３１ｄの内部には、大入賞口スイッチ３１ｓ（図６参照）が設けられており、大入賞口３１ｄに入賞した遊技球を検出することが可能となっている。
【００３０】
大入賞口３１ｄの左右には、二つずつ合計で四つの入球口が設けられており、これらの入球口に遊技球が入球すると、所定個数の遊技球が賞球として払い出されるようになっている。また、これら四つの入球口の中の一つの入球口（本実施例では、遊技者側から見て大入賞口３１ｄの直ぐ左側に設けられた入球口）は、遊技球が入球することによって中央装置４０に設けられた各種図柄の変動表示が開始される始動口となっている。尚、以下では、前述した上始動口１７と区別するために、中央装置４０の下方（大入賞口３１ｄの側方）に設けられた始動口を下始動口１８と呼ぶことにする。また、入球口の中で、始動口ではない入球口を指す場合には、一般入球口１９と呼ぶことにする。尚、本実施例の上始動口１７が、本発明における「第１始動口」に該当しており、下始動口１８が、本発明における「第２始動口」に該当している。
【００３１】
遊技領域１１の左端（中央装置４０の左側）には、上始動口作動ゲート３６が設けられており、このゲートの内部には、遊技球の通過を検出するゲートスイッチ３６ｓが設けられている。更に、上始動口作動ゲート３６の下方にも、一般入球口１９が一つも受けられている。また、上始動口１７の斜め上方左右にもランプ風車２４が一つずつ設けられ、遊技領域１１の下端には、アウト口３５が設けられている。これら各遊技装置の間および周辺には、多数の障害釘２３が設けられている。尚、本実施例の上始動口作動ゲート３６は、本発明における「通過ゲート」に該当している。
【００３２】
Ａ−３．中央装置の構成  ：
図３は、本実施例の遊技機１に搭載された中央装置４０の大まかな構成を示す説明図である。本実施例の中央装置４０は、硬質樹脂によって形成された枠体４１に、可動役物部や、図柄表示部、演出用ランプ部などが一体に組み込まれて構成されている。図３では、可動役物部５０に粗い斜線を付して表示している。本実施例の可動役物５０部は、メッキ処理が施されたコインが回転する動作を行うようになっている。また、可動役物部５０の左右には図柄表示部４２が設けられている。図柄表示部４２は、可動役物部５０の左右にそれぞれ７個ずつ設けられた合計１４個の発光ダイオード（ＬＥＤ）によって構成されており、それぞれのＬＥＤは、赤色および緑色で点灯させることが可能となっている。図３では、図柄表示部４２は、黒く塗り潰して表示されている。
【００３３】
また、可動役物部５０の上方には、演出表示部４６が設けられている。図３では、演出表示部４６は、細かい斜線を付すことによって表されている。その他、演出表示部４６の上方および左右、更には図柄表示部４２の左右には、演出用ランプ部５２が設けられている。図３では、これら演出用ランプ部５２は、太い実線で表されている。
【００３４】
図４は、図柄表示部４２の詳細な構成を示した説明図である。図３を用いて前述したように、図柄表示部４２は、合計１４個のＬＥＤによって構成されているが、これらＬＥＤは、大きく２つの表示部に区分することができる。先ず、可動役物部５０の左側に設けられた７個のＬＥＤは左図柄表示部４３を構成している。左図柄表示部４３は、中央装置４０の上方に設けられた上始動口１７に対応する図柄表示部である。この左図柄表示部４３を構成する７個のＬＥＤのうち、上から５つのＬＥＤは、上始動口１７に遊技球が入球すると変動表示を行う左特別図柄表示部４３ａとなっており、残りの２つのＬＥＤは、左特別図柄表示部４３ａの変動表示中に上始動口１７に遊技球が入球したときに、その入球を保留として蓄えておくための左特別図柄保留表示部４３ｂとなっている。図４（ａ）には、左図柄表示部４３を構成する左特別図柄表示部４３ａ、および左特別図柄保留表示部４３ｂが示されている。左特別図柄保留表示部４３ｂのＬＥＤは、上始動口１７への入球に対応する保留が１つ増えるたびに点灯または点滅するもので、最大４つまで保留を蓄えることが可能となっている。尚、本実施例の左特別図柄保留表示部４３ｂのＬＥＤは、保留１のときは１個のＬＥＤが点灯し、保留２のときは２個のＬＥＤが点灯し、保留３のときは２個のＬＥＤのうち１個のＬＥＤが点灯して残り１個のＬＥＤが点滅し、保留４のときは２個のＬＥＤが点滅するように構成されている。
【００３５】
同様に、可動役物部５０の右側に設けられた７個のＬＥＤは、右図柄表示部４４を構成している。右図柄表示部４４は、中央装置４０の左斜め下方に設けられた下始動口１８に対応する図柄表示部である。この右図柄表示部４４を構成する７個のＬＥＤのうち、上から５つのＬＥＤは、下始動口１８に遊技球が入球すると変動表示を行う右特別図柄表示部４４ａとなっており、残りの２つのＬＥＤは、右特別図柄保留表示部４４ｂとなっている。図４（ｂ）には、右図柄表示部４４を構成する右特別図柄表示部４４ａ、および右特別図柄保留表示部４４ｂが示されている。右特別図柄保留表示部４４ｂも４つのＬＥＤから構成されていることから明らかなように、下始動口１８への入球に対応する保留も、最大４つまで蓄えることが可能となっている。尚、右特別図柄保留表示部４４ｂの表示態様は、左特別図柄保留表示部４３ｂと同じである。
【００３６】
尚、上述したように、保留には、上始動口１７への入球に対する保留と、下始動口１８への入球に対する保留とが存在している。そこで以下では、上始動口１７に対する保留は左特別図柄保留と呼び、下始動口１８に対する保留は右特別図柄保留と呼んで区別することにする。
【００３７】
図５は、演出表示部４６の詳細な構成を示した説明図である。演出表示部４６も、大きく３つの表示部に区分することができる。図５（ａ）は、演出表示部４６を構成する第１の演出表示部４７を、粗いハッチングを付すことによって表示している。図示されているように、第１の演出表示部４７は、演出表示部４６の中で、最も広い面積を有する表示部であり、内部には３個のいわゆる７セグメントＬＥＤが組み込まれている。この第１の演出表示部４７は、原則的には、図４（ａ）に示した左特別図柄表示部４３ａの変動表示と同期して、３つの７セグメントＬＥＤが変動表示を行うようになっている。
【００３８】
第１の演出表示部４７の下方には、赤色または緑色で点灯可能な複数（本実施例では８個）のＬＥＤから構成される第２の演出表示部４８が設けられている。図５（ｂ）では細かいハッチングを施すことによって、第２の演出表示部４８を表示している。この第２の演出表示部４８は、原則的には、図４（ｂ）に示した右特別図柄表示部４４ａの変動表示と同期して、種々のパターンでＬＥＤが点灯しながら変動表示を行うようになっている。
【００３９】
更に、第２の演出表示部４８の左右には、２個ずつ（合計４個）のＬＥＤから構成される保留演出表示部４９が設けられている。図５（ｃ）では細かいハッチングを施すことによって、保留演出表示部４９を表示している。この保留演出表示部４９は、原則的には、図４（ａ）に示した左特別図柄保留表示部４３ｂの内容を表示するようになっている。
【００４０】
上述したように、中央装置４０には、左図柄表示部４３、右図柄表示部４４、第１の演出表示部４７、第２の演出表示部４８、保留演出表示部４９といった種々の表示部が設けられているが、左図柄表示部４３および右図柄表示部４４は、第１の演出表示部４７や第２の演出表示部４８や保留演出表示部４９に比べて表示が小さく、第１の演出表示部４７から離れた部位に配置されていることから遊技者の目に付き難く、しかも表示内容も分かり難いので、遊技者はもっぱら第１の演出表示部４７の近傍、すなわち、第１の演出表示部４７、第２の演出表示部４８、保留演出表示部４９を見ながら遊技を行うことが通常である。特に、第１の演出表示部４７は、最も目立ち易く、表示内容も分かり易いので、遊技者の注意を最も引き易い。また、保留演出表示部４９は、上始動口１７への遊技球の入球に基づいて点灯したり、第１の演出表示部４７での変動表示開始に伴って消灯したりすることから、表示内容が比較的分かり易いので、表示面積は比較的小さいものの、遊技者が遊技中にしばしば確認する表示部となっている。
【００４１】
Ａ−４．制御回路の構成  ：
次に、本実施例の遊技機１における制御回路の構成について説明する。図６は、本実施例の遊技機１における制御回路の構成を示したブロック図である。図示されているように遊技機１の制御回路は、多くの制御基板や、各種基板、中継端子板などから構成されているが、その機能に着目すると、遊技の基本的な進行や賞球に関わる当否についての制御を司る主制御基板２００と、図柄やランプや効果音を用いた遊技の演出の制御を司るサブ制御基板２２０と、サブ制御基板２２０の制御の下で、演出表示部４６や、可動役物部５０、演出用ランプ部５２で行われる演出の具体的な制御を行う演出制御基板２３０と、貸球や賞球を払い出す動作の制御を司る払出制御基板２４０と、遊技球の発射に関する制御を司る発射制御基板２６０などから構成されている。これら制御基板は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。また、図６中に示した矢印の向きは、データあるいは信号を入出力する方向を表している。尚、図６では、主制御基板２００に搭載されたＣＰＵ２０１やＲＡＭ２０３、サブ制御基板２２０に搭載されたＣＰＵ２２１、ＲＯＭ２２２のみが図示されている。
【００４２】
図示されているように主制御基板２００は、上始動口１７の内部に組み込まれた上始動口スイッチ１７ｓや、下始動口１８の内部に組み込まれた下始動口スイッチ１８ｓ、一般入球口１９の内部に組み込まれた一般入球口１９スイッチｓ、大入賞口スイッチ３１ｓ、ゲートスイッチ３６ｓなどから遊技球の検出信号を受け取って、遊技の基本的な進行や賞球に関わる当否を決定した後、サブ制御基板２２０や、払出制御基板２４０、発射制御基板２６０などに向かって、各種の動作を指令するコマンドを出力する。また、主制御基板２００には、上始動口１７に設けられた一対の翼片部を開閉させるための普通電動役物ソレノイド１７ｍや、大入賞口３１ｄを開閉させるための大入賞口ソレノイド３１ｍ、更には、左図柄表示部４３や右図柄表示部４４、下図柄表示部４５から構成される図柄表示部４２などが中継端子板を介して接続されており、これら各種ソレノイド１７ｍ，３１ｍ、および図柄表示部４２に向かって信号を出力することにより、動作の制御も行っている。
【００４３】
サブ制御基板２２０は、主制御基板２００からの各種コマンドを受け取ると、コマンドの内容を解析して、その結果に応じた遊技の演出を行う。すなわち、中央装置４０に組み込まれた演出表示部４６や演出用ランプ部５２、可動役物部５０（図５を参照）の制御を行う演出制御基板２３０に対して演出内容を指定するコマンドを出力したり、各種のスピーカ５ｙ、６ｃを駆動するアンプ基板２２４、装飾用の各種ＬＥＤやランプを駆動する装飾駆動基板２２６に駆動信号を出力することにより、遊技の演出を行う。
【００４４】
払出制御基板２４０は、いわゆる貸球や賞球の払い出しに関する各種の制御を司っている。例えば、遊技者が前述した上皿部５に設けられた球貸スイッチ５ｂや返却スイッチ５ｃを操作すると、この信号は、球貸表示基板２４２から中継端子板を介して、球貸装置１３に伝達される。球貸装置１３は、払出制御基板２４０とデータをやり取りしながら、貸球の払出を行う。また、主制御基板２００が賞球の払出コマンドを出力すると、このコマンドを払出制御基板２４０が受け取って、払出モータ１０９ｍに駆動信号を出力することによって賞球の払い出しが行われる。
【００４５】
Ｂ．遊技の概要  ：
次に、上述した構成を有する本実施例の遊技機１で行われる遊技の概要について簡単に説明しておく。本実施例の遊技機１では、次のようにして遊技が行われる。先ず、遊技者が上皿部５の凹部に遊技球を投入して発射ハンドル８を回転させると、上皿部５に投入された遊技球が、１球ずつ発射装置ユニット１２に供給されて、図２を用いて前述した遊技領域１１に発射される。遊技球を打ち出す強さは、発射ハンドル８の回転角度によって調整することが可能となっており、遊技者は発射ハンドル８の回転角度を変化させることによって、遊技球の狙いを付けることができる。
【００４６】
発射した遊技球が、遊技領域１１の左側に設けられた上始動口作動ゲート３６を通過すると、上始動口１７が所定時間（例えば０．５秒間）だけ開口状態となる。尚、図２を用いて前述したように、本実施例の遊技機１には、上始動口１７および下始動口１８の２つの始動口が設けられているが、開閉の可能ないわゆるチューリップ式の始動口は上始動口１７のみであり、下始動口１８は開閉式の始動口とはなっていない。
【００４７】
次いで、開口状態となった上始動口１７に遊技球が入球すると、今度は、左特別図柄表示部４３ａにおいて左特別図柄の変動表示が開始される。図４（ａ）を用いて前述したように、左特別図柄表示部４３ａは、中央装置４０の左部に設けられた３つのＬＥＤによって構成されている。これらＬＥＤは、赤色または緑色で点灯して予め定められた複数の点灯状態を取ることによって、異なる図柄を表示することが可能となっており、上始動口１７に遊技球が入球すると、複数の点灯状態が次々と切り換わることによって、複数の図柄が変動表示される。そして、所定時間が経過すると何れかの点灯状態（すなわち図柄）で停止表示され、このとき、所定の点灯状態（当り図柄）で停止表示されると、いわゆる左特別図柄の当りとなって、遊技者にとって有利な遊技状態である特別遊技状態が開始される。特別遊技状態では、大入賞口３１ｄが開口状態となる遊技状態（ラウンド）が、所定ラウンドだけ繰り返されるように構成されている。大入賞口３１ｄは大きく開口するために、遊技球が高い確率で入球する。その結果、所定回数のラウンドが繰り返される間に遊技者は多くの賞球を獲得することが可能となっている。
【００４８】
尚、左特別図柄表示部４３ａにおける左特別図柄の変動表示中または右特別図柄表示部４４ａにおける右特別図柄の変動表示中に遊技球が上始動口１７に入球した場合は、この遊技球の入球が左特別図柄の保留として蓄えられ、図４（ａ）に示した左特別図柄保留表示部４３ｂに左特別図柄保留数として表示される。
【００４９】
また、前述したように本実施例の遊技機１では、上始動口１７の他に、下始動口１８も設けられている。下始動口１８に遊技球が入球すると、右特別図柄表示部４４ａにおいて右特別図柄の変動表示が開始される。右特別図柄表示部４４ａも左特別図柄表示部４３ａと同様に、赤色または緑色で点灯可能な３つのＬＥＤから構成されており、予め定められた複数の点灯状態（すなわち図柄）を次々と切り換えることによって、右特別図柄を変動表示させることが可能となっている。そして、所定時間が経過すると何れかの点灯状態で停止表示され、このとき、所定の点灯状態（当り図柄）で停止表示されると、いわゆる右特別図柄の当りとなって、大入賞口３１ｄが開口状態となる特別遊技状態が開始される。また、右特別図柄表示部４４ａの変動表示中または左特別図柄表示部４３ａにおける左特別図柄の変動表示中に遊技球が下始動口１８に入球した場合は、この入球は右特別図柄保留として、図４（ｂ）に示した右特別図柄保留表示部４４ｂに表示される。
【００５０】
このように本実施例の遊技機１には、上始動口１７および下始動口１８の２つの始動口が設けられており、遊技球が上始動口１７に入球した場合には、左特別図柄表示部４３ａにおいて左特別図柄の変動表示が行われる。一方、遊技球が下始動口１８に入球した場合には、右特別図柄表示部４４ａで右特別図柄の変動表示が行われる。ここで、本実施例の遊技機１では、左特別図柄表示部４３ａおよび右特別図柄表示部４４ａは並行して図柄の変動表示を行うのではなく、上始動口１７あるいは下始動口１８に遊技球が入球した順番で、左特別図柄表示部４３ａあるいは右特別図柄表示部４４ａで変動表示が行われるようになっている。尚、これに限らず、一方の始動口を優先して保留を消化することとして、その始動口の保留が無くなった場合にだけ、他方の始動口に対する保留を消化するようにしても良い。例えば、上始動口１７に入球した保留が残っている間は、上始動口１７に対応する左特別図柄表示部４３ａだけを変動表示させ、上始動口１７に対する保留を全て消化した場合にだけ、下始動口１８に対応する右特別図柄表示部４４ａを変動表示させて、下始動口１８に対する保留を消化することとしても良い。
【００５１】
また、左特別図柄表示部４３ａで表示される左特別図柄には、当り図柄として、「通常当り図柄」と「確変当り図柄」と「特定確変当り図柄」とが設けられている。同様に、右特別図柄表示部４４ａに表示される右特別図柄にも、「通常当り図柄」と「確変当り図柄」と「特定確変当り図柄」とが設けられている。
【００５２】
左特別図柄または右特別図柄が「通常当り図柄」で停止表示されると、特別遊技の終了後、左特別図柄および右特別図柄の変動表示が合わせて所定回数（本実施例では１００回）に達するか、若しくは次回の特別遊技状態が開始されるまでの間、特別図柄の変動時間が短くなるとともに、上始動口１７の開口時間が長くなるように設定されている。このような遊技状態は、変動時間短縮状態（若しくは、時短状態）と呼ばれる。
【００５３】
これに対して、左特別図柄または右特別図柄が「確変当り図柄」で停止表示された場合には、特別遊技が終了してから次の特別遊技が開始されるまでの間、何れかの当り図柄で停止表示される確率が通常の状態よりも高くなる。このように、当り図柄で停止表示される確率が高くなっている遊技状態は、確変遊技状態（若しくは、単に確変状態）と呼ばれる。また、「確変当り図柄」が停止表示されたことによる特別遊技が終了した後は、次の特別遊技が開始されるまでの間（確変状態中）は、上述の時短状態と同様に特別図柄の変動時間が短くなるとともに、上始動口１７の開口時間が長くなる。
【００５４】
更に、左特別図柄または右特別図柄が「特定確変当り図柄」で停止表示されると、大入賞口３１ｄが、極めて短時間だけ、遊技球がほとんど入球し得ない態様で開口するだけで特別遊技を終了する。そして、次の特別遊技が開始されるまでの間は、「確変当り図柄」が停止表示された場合と同様に確変状態が継続されるか、あるいは確変状態ではあるが特別図柄の変動時間短縮および上始動口１７の開口時間延長が行われない遊技状態（いわゆる潜伏確変状態）が継続されるようになっている。
【００５５】
もっとも、左特別図柄表示部４３ａや右特別図柄表示部４４ａは、遊技者に目に付き易い態様で設けられているわけではなく、加えて、停止表示される図柄も遊技者にとって分かり易い態様で表示されるわけではない。そこで、左特別図柄表示部４３ａで行われる左特別図柄の変動表示に合わせて、第１の演出表示部４７では、３つの７セグメントＬＥＤの変動表示が開始され、左特別図柄表示部４３ａで「通常当り図柄」が停止表示される場合には、７セグメントＬＥＤが偶数のゾロ目で停止表示され、「確変当り図柄」が停止表示される場合には、７セグメントＬＥＤが奇数のゾロ目で停止表示され、「特定確変当り図柄」が停止表示される場合には、７セグメントＬＥＤがゾロ目を除く所定の数字の組合せ（例えば、「１２３」の組合せ）で停止表示され、更に、左特別図柄表示部４３ａが「外れ図柄」で停止表示される場合には、７セグメントＬＥＤが、ゾロ目でも所定の組合せでもない、いわゆるバラケ目で停止表示される。
【００５６】
尚、上述したように第１の演出表示部４７は、上始動口１７に遊技球が入球したことを受けて変動表示が開始される。従って、本実施例の第１の演出表示部４７は、本発明における「第１演出表示装置」に該当している。また、上始動口１７に入球した遊技球数を蓄える左特別図柄保留数は、本発明における「第１保留数」に対応し、左特別図柄保留数を記憶している主制御基板２００のＲＡＭ２０３は、本発明における「第１保留数記憶手段」に対応するものとなっている。
【００５７】
また、右特別図柄表示部４４ａで行われる右特別図柄の変動表示に合わせて、第２の演出表示部４８でも、複数（本実施例では８個）のＬＥＤが種々のパターンで点灯しながら変動表示を行う。そして、右特別図柄表示部４４ａで停止表示される図柄（「通常当り図柄」、「確変当り図柄」、「特定確変当り図柄」、「外れ図柄」の何れか）に応じて、対応する点灯状態または消灯状態（停止図柄）で停止表示する。特に、「通常当り図柄」または「確変当り図柄」に対応する点灯状態で停止表示された場合には、演出用ランプ部５２（図３を参照）を用いて大当りの発生を報知した後、大入賞口３１ｄを開口させて特別遊技を開始するようになっている。また、「特定確変当り図柄」に対応する点灯状態で停止表示された場合には、演出用ランプ部５２（図３を参照）を用いて特殊モード突入演出を実行するようになっている。ここで、第２の演出表示部４８における停止表示の態様として、例えば、８個のＬＥＤが全て緑色の点灯状態で停止表示された場合には「通常当り」とし、８個のＬＥＤが全て赤色の点灯状態で停止表示された場合には「確変当り」とし、８個のＬＥＤのうち４個が赤色で残り４個が緑色の点灯状態で停止表示された場合には「特定確変当り」とし、８個のＬＥＤが全て消灯状態で停止表示された場合には「外れ図柄」とすることができる。
【００５８】
尚、上述したように第２の演出表示部４８は、下始動口１８に遊技球が入球したことを受けて変動表示が開始される。従って、本実施例の第２の演出表示部４８は、本発明における「第２演出表示装置」に該当し、また、下始動口１８に入球した遊技球数を蓄える右特別図柄保留数は、本発明における「第２保留数」に、そして、右特別図柄保留数を記憶している主制御基板２００のＲＡＭ２０３は、本発明における「第２保留数記憶手段」に対応するものとなっている。
【００５９】
Ｃ．遊技機の制御内容  ：
以下では、上述した遊技を実現するために、本実施例の遊技機１が行っている制御内容について詳しく説明する。
【００６０】
Ｃ−１．遊技制御処理  ：
図７は、主制御基板２００に搭載されたＣＰＵ２０１が、遊技の進行を制御するために行う遊技制御処理の大まかな流れを示したフローチャートである。図示されているように、遊技制御処理では、賞球関連処理、普通電動役物遊技処理、普通電動役物停止処理、特別図柄遊技処理、特別電動役物遊技処理などの各処理が繰り返し実行されている。一周の処理に要する時間は、ほぼ４ｍｓｅｃとなっており、従って、これら各種の処理は約４ｍｓｅｃ毎に繰り返し実行されることになる。そして、これら各処理中で、サブ制御基板２２０を初めとする各種制御基板に向けて、主制御基板２００から各種コマンドを送信する。こうすることにより、遊技機１全体の遊技が進行するとともに、サブ制御基板２２０では、遊技の進行に合わせた演出の制御が行われることになる。以下、フローチャートに従って、主制御基板２００に搭載されたＣＰＵ２０１が行う遊技制御処理について説明する。
【００６１】
主制御基板２００に搭載されたＣＰＵ２０１は、遊技制御処理を開始すると、遊技球を賞球として払い出すための処理（賞球関連処理）を行う（Ｓ５０）。かかる処理では、主制御基板２００に接続された各種スイッチの中で、遊技球の入賞に関わるスイッチ（上始動口スイッチ１７ｓや、下始動口スイッチ１８ｓ、一般入球口スイッチ１９ｓ、大入賞口スイッチ３１ｓなど）について、遊技球が入球したか否かを検出する。そして、遊技球の入球が検出された場合には、払い出すべき賞球数を算出した後、払出制御基板２４０に向かって賞球数指定コマンドを出力する処理を行う。払出制御基板２４０は、主制御基板２００から出力された賞球数指定コマンドを受け取るとコマンドの内容を解釈し、その結果に従って、払出装置１０９に搭載された払出モータ１０９ｍに駆動信号を出力することにより、実際に賞球を払い出す処理を行う。
【００６２】
主制御基板２００のＣＰＵ２０１は、賞球数指定コマンドを出力すると（Ｓ５０）、今度は、普通電動役物遊技処理を行うか否かを判断する（Ｓ１００）。かかる判断は、普通電動役物が作動中であるか否か、換言すると上始動口１７が開口中であるか否かを検出することによって行う。普通電動役物が作動中でなければ普通電動役物遊技処理を行うものと判断し（Ｓ１００：ｙｅｓ）、普通電動役物が作動中であれば普通電動役物遊技処理は行わないものと判断する（Ｓ１００：ｎｏ）。そして、普通電動役物遊技処理を行うと判断された場合は（Ｓ１００：ｙｅｓ）、以下に説明する普通電動役物遊技処理を行う（Ｓ１５０）。一方、普通電動役物遊技処理を行わないと判断された場合は（Ｓ１００：ｎｏ）、普通電動役物遊技処理（Ｓ１５０）はスキップする。
【００６３】
普通電動役物遊技処理（Ｓ１５０）では、遊技球が上始動口作動ゲート３６を通過したか否か、換言すると、ゲートスイッチ３６ｓが遊技球を検出したか否かを判断し、遊技球が上始動口作動ゲート３６を通過した（ゲートスイッチ３６ｓが遊技球を検出した）と判断されると、普通電動役物の作動を開始させる。こうして普通電動役物が作動すると、上始動口１７に設けられた一対の翼片部が外側に向かって回動し、上始動口１７が開口状態となる。
【００６４】
尚、遊技球が上始動口作動ゲート３６を通過したことを契機として上始動口１７を開口状態とする一連の動作は、主制御基板２００に搭載されたＣＰＵ２０１が、上述した普通電動役物遊技処理を実行することによって行われている。従って、本実施例の主制御基板２００に搭載されたＣＰＵ２０１は、本発明における「第１始動口開口手段」に対応するものとなっている。
【００６５】
以上のようにして普通電動役物遊技処理を終了したら、普通電動役物が作動中か否かを判断する（Ｓ１９０）。そして、作動中である場合は（Ｓ１９０：ｙｅｓ）、普通電動役物を停止させるための処理（普通電動役物停止処理）を行う（Ｓ２００）。一方、普通電動役物が作動していない場合は（Ｓ１９０：ｎｏ）、普通電動役物停止処理を行う必要はないのでスキップする。
【００６６】
図８は、普通電動役物停止処理の流れを示すフローチャートである。図示されているように普通電動役物停止処理を開始すると、先ず初めに、普通電動役物の所定の作動時間が経過したか否かを判断する（Ｓ２０２）。前述したように、普通電動役物が作動すると上始動口１７が開口状態となるが、所定時間が経過すると、再び一対の翼片部が直立した通常の状態に復帰する。そこで、Ｓ２０２では、普通電動役物が予め設定しておいた作動時間に達したか否かを判断するのである。そして、作動時間に達したと判断された場合は（Ｓ２０２：ｙｅｓ）、普通電動役物の作動を停止した後（Ｓ２０６）、普通電動役物遊技処理を終了して図７に示した遊技制御処理に復帰する。尚、普通電動役物作動時間（すなわち、上始動口１７の開口時間）は、通常の遊技状態では約０．５秒間に設定されているが、後述する開口時間延長機能が作動すると約１．５秒間に延長される。
【００６７】
一方、上始動口１７は開口中に規定数の遊技球が入球すると、開口時間が設定時間に達していない場合でも、通常状態に復帰してしまう。このことと対応して、普通電動役物の作動時間が所定時間に達していない場合は（Ｓ２０２：ｎｏ）、普通電動役物に規定数の遊技球が入球したか否かを判断し（Ｓ２０４）、規定数の遊技球が入球したと判断された場合は（Ｓ２０４：ｙｅｓ）、普通電動役物の作動を停止して（Ｓ２０６）、図８に示した普通電動役物停止処理を終了する。逆に、規定数の入球がないと判断された場合は（Ｓ２０４：ｎｏ）、普通電動役物を作動させたまま、図８に示した普通電動役物停止処理を終了して、図７に示した遊技制御処理に復帰する。
【００６８】
遊技制御処理では、普通電動役物停止処理から復帰すると、特別図柄に関連する処理を開始する。かかる処理では、後述する特別図柄遊技処理を行うための所定の条件を満足しているか否かを判断した後、所定の条件を満足していた場合には、特別図柄遊技処理を開始する。
【００６９】
図９は、特別図柄遊技処理を開始するか否かを判断するために行う処理（特別図柄遊技開始判断処理）の前半部分の流れを示すフローチャートである。また、図１０は、特別図柄遊技開始判断処理の後半部分の流れを示すフローチャートである。特別図柄遊技処理を開始するか否かの判断に当たっては、先ず初めに、上始動口１７に遊技球が入球したか否かを判断する（Ｓ２５２）。前述したように、上始動口１７の内部には、遊技球の入球を検出する上始動口スイッチ１７ｓが設けられており、遊技球が入球したことを検出することができる。
【００７０】
遊技球が上始動口１７に入球している場合は（Ｓ２５２：ｙｅｓ）、左特別図柄の保留数が上限値（本実施例では「４」）に達しているか否かを判断する（Ｓ２５４）。図４（ａ）を用いて前述したように左特別図柄の保留数は、左特別図柄保留表示部４３ｂでＬＥＤが点灯することによって表示されている。そして、左特別図柄の保留数が上限値に達していなければ（Ｓ２５４：ｎｏ）、左特別図柄用の当否判定乱数、左特別図柄用の図柄決定乱数、左特別図柄用の変動パターン決定乱数を取得して、主制御基板２００のＲＡＭ２０３に記憶する。ここで、左特別図柄の当否判定乱数は、図４（ａ）に示した左特別図柄表示部４３ａに表示される左特別図柄の当否判定を行うために用いられる乱数であり、左特別図柄の図柄決定乱数は、左特別図柄表示部４３ａに停止表示させる特別図柄を、左特別図柄の当否判定結果に応じて決定するための乱数であり、また、左特別図柄の変動パターン決定乱数は、後述する、左特別図柄の特別図柄変動パターンを決定するために用いられる乱数である。
【００７１】
このように左特別図柄保留数が「４」に達していない場合は（Ｓ２５４：ｎｏ）、左特別図柄用の各種乱数を取得してＲＡＭ２０３に記憶した後（Ｓ２５６）、左特別図柄の保留数に「１」を加算し（Ｓ２５８）、次いで、保留表示コマンドをサブ制御基板２２０に向かって出力する（Ｓ２６０）。ここで、保留表示コマンドとは、中央装置４０に組み込まれた保留演出表示部４９で、演出用に表示する保留数を指定するコマンドである。図５を用いて前述したように、保留演出表示部４９では原則として左特別図柄の保留数を表示することから、Ｓ２５８で左特別図柄の保留数に「１」を加算したら、これを受けて保留演出表示部４９の表示も変更させるべく、サブ制御基板２２０に向かってコマンドを出力するのである。
【００７２】
一方、左特別図柄の保留数が「４」に達している場合は（Ｓ２５４：ｎｏ）、左特別図柄の当否判定用乱数や、左特別図柄の図柄決定乱数、左特別図柄の変動パターン決定乱数の取得は行わない。その結果、左特別図柄に関するこれらの乱数は、最大４つまで記憶することが可能となっている。
【００７３】
また、図２を用いて前述したように、本実施例の遊技機１には、上始動口１７および下始動口１８の二つの始動口が設けられている。このことに対応して、下始動口１８についても、上述した上始動口１７についてと同様な処理を行う。以下、簡単に説明すると、先ず初めに、下始動口１８に遊技球が入球したか否かを判断し（Ｓ２６２）、下始動口１８に入球した場合には（Ｓ２６２：ｙｅｓ）、右特別図柄の保留数が上限値（本実施例では「４」）に達しているか否かを判断する（Ｓ２６４）。すなわち、上始動口１７に入球した場合は、左特別図柄保留表示部４３ｂ（図４（ａ）参照）に表示された左特別図柄の保留数が上限値に達したか否かを判断するのに対して、下始動口１８に入球した場合には、右特別図柄保留表示部４４ｂ（図４（ｂ）参照）に表示された右特別図柄の保留数が上限値に達したか否かを判断するのである。そして、右特別図柄の保留数が上限値に達していなければ（Ｓ２６４：ｎｏ）、右特別図柄用に、それぞれ当否判定乱数、図柄決定乱数、変動パターン決定乱数を取得して、主制御基板２００のＲＡＭ２０３に記憶した後、右特別図柄の保留数に「１」を加算する（Ｓ２６８）。
【００７４】
尚、上述したように左特別図柄の保留数に「１」を加算した場合には（Ｓ２５８）、サブ制御基板２２０に向かって保留表示コマンドを出力したが（Ｓ２６０）、右特別図柄の保留数の場合は「１」を加算しても（Ｓ２６８）、保留表示コマンドを出力することはない。これは、図５に示したように中央装置４０に設けられた保留演出表示部４９は、原則として左特別図柄の保留数に対応した表示を行う表示部であり、本実施例の中央装置４０には右特別図柄の保留数に対応した表示を行う表示部が設けられていないためである。
【００７５】
一方、右特別図柄の保留数が「４」に達している場合は（Ｓ２６４：ｎｏ）、右特別図柄に対応する各種の乱数を取得して保留数に「１」を加算する処理は行わない。その結果、右特別図柄の保留数も、左特別図柄の保留数と同様に、最大４つまで記憶することが可能となっている。
【００７６】
また、上述したように、左特別図柄の保留数および右特別図柄の保留数は、何れも４つを上限として、主制御基板２００のＲＡＭ２０３に記憶されるが、これらは上始動口１７あるいは下始動口１８に入球した順序を識別可能な状態で記憶されている。図１１は、上始動口１７および下始動口１８に入球した順序を識別可能な状態で、左右の特別図柄保留数が記憶されている様子を概念的に示した説明図である。図１１には、主制御基板２００のＲＡＭ２０３に、左特別図柄保留数を記憶する領域および右特別図柄保留数を記憶する領域が設けられている様子が示されている。前述したように、左右の特別図柄保留数は、それぞれ４つまで記憶することが可能であり、図１１（ａ）では、左特別図柄については３つの保留が記憶され、右特別図柄については１つの保留が記憶されている様子が例示されている。また、これら４つの保留には、それぞれに順番が記憶されている。例えば、これら４つの保留の中で最初に記憶された保留は、左特別図柄の保留として記憶されている「１」と表記された保留であり、二番目に記憶された保留は、同じく左特別図柄の「２」と表記された保留である。三番目に記憶された保留は、右特別図柄の保留として記憶されている「３」と表記された保留であり、そして最後に記憶された四番目の保留は、左特別図柄の「４」と表記された保留である。
【００７７】
更に、これら保留の中で最初の保留が消化されると二番目の保留が最初の保留に繰り上がり、三番目の保留が二番目の保留に繰り上がり、四番目の保留が三番目の保留に繰り上がって、その結果、図１１（ｂ）に示した状態で記憶されることになる。このように、本実施例の遊技機１では、左特別図柄および右特別図柄について、それぞれの保留を記憶しているとともに、各保留が全体の保留の中で何番目に記憶された保留かを識別可能な状態で記憶されている。
【００７８】
図９に示した特別図柄遊技開始判断処理では、以上のようにして左右の特別図柄の保留に関わる処理を終了したら、今度は、左特別図柄の保留数が少なくなっているか否か、本実施例では「２」に満たないか否かを判断する（図１０のＳ２７０）。前述したように、左特別図柄の保留数は、中央装置４０の保留演出表示部４９に表示される保留数である。左特別図柄の保留数が残り少ない（ここでは、「２」に満たない）と判断された場合は（Ｓ２７２：ｙｅｓ）、続いて右特別図柄の保留数が残っているか否かを判断する（Ｓ２７４）。そして、右特別図柄の保留数が残っていると判断された場合（Ｓ２７４：ｙｅｓ）、すなわち、中央装置４０の保留演出表示部４９に表示された左特別図柄の保留数は残り少ない（ここでは、「２」未満）が、右特別図柄の保留数が残っていると判断された場合は、保留移行フラグをセットする（Ｓ２７４）。ここで保留移行フラグとは、保留演出表示部４９に表示された左特別図柄の保留数が残り少なくなった場合に、右特別図柄の保留数を保留演出表示部４９に表示した状態に移行することを示すフラグである。保留移行フラグは、主制御基板２００に搭載されたＲＡＭ２０３の所定アドレスにセットされる。次いで、主制御基板２００のＣＰＵ２０１は、サブ制御基板２２０に向かって保留表示コマンドを出力する（Ｓ２７６）。この保留表示コマンドは、左特別図柄の保留数に右特別図柄の保留数を加えた数の保留を保留演出表示部４９に表示するように、サブ制御基板２２０に指示するコマンドである。
【００７９】
これに対して、左特別図柄の保留数が２以上残っていて、保留演出表示部４９に多くの保留が表示されている場合は（Ｓ２７０：ｎｏ）、右特別図柄の保留数を保留演出表示部４９に追加して表示する必要はなく、また、保留演出表示部４９に表示されている保留が残り少なくなっていても、右特別図柄の保留数が残っていない場合は（Ｓ２７２：ｎｏ）、保留演出表示部４９に追加して表示することはできないので、保留移行フラグをセットしたり、サブ制御基板２２０に向かって保留表示コマンドを出力する処理（Ｓ２７４，Ｓ２７６）はスキップする。
【００８０】
尚、上述したように、左特別図柄の保留数が「２」以上の場合には、保留演出表示部４９には左特別図柄の保留数のみが表示されるが、左特別図柄の保留数が残り少なくなると、右特別図柄の保留数も保留演出表示部４９に表示されるようになる。従って、本実施例の保留演出表示部４９は、本発明の第１の弾球遊技機における「保留数表示装置」に対応するものとなっている。同時に、本発明の第２の弾球遊技機においては「第１保留数表示装置」に対応するものとなっている。これに対して、常に右特別図柄の保留数のみを表示する右特別図柄保留表示部４４ｂは、本発明の第２の弾球遊技機における「第２保留数表示装置」に対応するものとなっている。
【００８１】
また、左特別図柄の保留数が残り少なくなった場合には、左特別図柄保留数に右特別図柄保留数を加えた保留数を保留演出表示部４９に表示させる動作は、主制御基板２００のＣＰＵ２０１が、図９および図１０に示した特別図柄遊技開始判断処理の中で保留表示コマンドを出力することによって実現されている。従って、本実施例の主制御基板２００に搭載されたＣＰＵ２０１は、本発明における「保留数変更表示手段」に対応するものとなっている。
【００８２】
次いで、大当り遊技中か否かを判断する（Ｓ２７８）。後述する特別図柄遊技処理は、左特別図柄あるいは右特別図柄を変動表示させ、左右何れかの特別図柄で所定の当り図柄が停止表示された場合には、遊技者にとって有利な特別遊技である大当り遊技を開始する処理である。そして、現在、大当り遊技を行っているのであれば、重ねて大当り遊技を開始する必要はない。そこで、上述した左右の特別図柄の保留に関わる処理を終了したら、大当り遊技中であるか否かを判断し（Ｓ２７８）、大当り遊技中で無かった場合には（Ｓ２７８：ｎｏ）、後述する特別図柄遊技処理を開始すると判断する（すなわち、Ｓ２５０：ｙｅｓ）。一方、現在、既に大当り遊技中であった場合は（Ｓ２７８：ｙｅｓ）、特別図柄遊技処理は開始しないと判断する（すなわち、Ｓ２５０：ｎｏ）。
【００８３】
以上のようにして、特別図柄遊技処理を行うと判断された場合は（Ｓ２５０：ｙｅｓ）、以下に説明する特別図柄遊技処理を行う（Ｓ３００）。一方、特別図柄遊技処理を行わないと判断された場合は（Ｓ２５０：ｎｏ）、特別図柄遊技処理（Ｓ３００）はスキップする。
【００８４】
Ｃ−２．特別図柄遊技処理  ：
図１２は、特別図柄遊技処理の前半部分の流れを示したフローチャートである。図１３は、特別図柄遊技処理の後半部分の流れを示したフローチャートである。特別図柄遊技処理を開始すると、先ず初めに、左右何れかの特別図柄が変動中か否かを判断する（Ｓ３０２）。図４を用いて前述したように、本実施例の遊技機１では中央装置４０に左特別図柄表示部４３ａおよび右特別図柄表示部４４ａが設けられており、それぞれに左特別図柄および右特別図柄を変動表示可能となっている。
【００８５】
左右何れの特別図柄も変動中でない場合は（Ｓ３０２：ｎｏ）、特別図柄の停止表示時間中であるか否かを判断する（Ｓ３０４）。すなわち、左右何れの特別図柄についても変動表示が終了してしばらくの期間は、何れの図柄で停止表示されたかを、遊技者が確認するための停止表示時間が設けられているので、この停止表示時間中か否かを判断するのである。左右何れの特別図柄も変動表示されておらず且つ特別図柄の停止表示時間中でもないことが確認された場合は（Ｓ３０４：ｎｏ）、左右の特別図柄の保留数が「０」であるか否かを判断する（Ｓ３０６）。図１１を用いて前述したように、本実施例の遊技機１では、上始動口１７および下始動口１８に対して、それぞれ左特別図柄および右特別図柄のそれぞれについて保留を蓄えておくことが可能となっている。Ｓ３０６では、何れの特別図柄の保留も「０」であるか否かを判断するのである。
【００８６】
そして、何れかの保留が「０」ではないと判断された場合は（Ｓ３０６：ｎｏ）、ＲＡＭ２０３に記憶されている左特別図柄または右特別図柄保留の中から、最初に記憶された保留の特別図柄当否判定乱数を読み出して（Ｓ３０８）、その特別図柄当否判定乱数が、左特別図柄の当否判定乱数か否かを判断する（Ｓ３１０）。すなわち本実施例では、図１１を用いて説明したように、特別図柄の保留は、各保留が記憶された順番と、左特別図柄または右特別図柄の何れの保留であるかを識別可能な状態で記憶されている。従って、複数の保留の中で最初に記憶されている保留の特別図柄当否判定乱数を読み出せば、その当否判定乱数が、左特別図柄の当否判定乱数か否かを容易に判断することが可能となっている。そして、読み出した当否判定乱数が左特別図柄の当否判定乱数であると判断された場合は（Ｓ３１０：ｙｅｓ）、左特別図柄関連処理を開始する（Ｓ３２０）。
【００８７】
左特別図柄関連処理の詳細については後述するが、大まかには次のような処理を行う。先ず、左特別図柄の当否判定を行って、左特別図柄表示部４３ａに停止表示する図柄を決定し、左特別図柄表示部４３ａで行う変動パターンを決定した後、左特別図柄保留表示部４３ｂに表示された左特別図柄保留数を一つ減らす。次いで、これらの内容を、中央装置４０の演出表示部４６における表示に反映させるべく、サブ制御基板２２０に向かって各種コマンドを出力する処理を行う。
【００８８】
これに対して、読み出した当否判定乱数が左特別図柄の当否判定乱数ではないと判断された場合は（Ｓ３１０：ｎｏ）、右特別図柄遊技処理を開始する（Ｓ３４０）。右特別図柄関連処理の詳細についても後述するが、大まかには、左特別図柄関連処理とほぼ同様な処理を行う。すなわち、右特別図柄の当否判定を行って、右特別図柄表示部４４ａに停止表示する図柄や変動パターンを決定した後、右特別図柄保留数を一つ減らす。次いで、これらの内容を、中央装置４０の演出表示部４６における表示に反映させるべく、サブ制御基板２２０に向かって各種コマンドを出力する処理を行う。もっとも、本実施例の遊技機１では、左特別図柄の保留数が残り少なくなった場合には、右特別図柄の保留であっても、あたかも左図柄の保留であるかのような演出を行っており、右特別図柄関連処理では、左特別図柄関連処理とは異なり、かかる演出に関連する処理も行っている。右特別図柄関連処理の詳細についても後述する。
【００８９】
以上のようにして、読み出した特別図柄の当否判定乱数に従って、左特別図柄あるいは右特別図柄についての停止図柄や変動パターンなどを決定したら（Ｓ３２０、Ｓ３４０）、図１２に示す特別図柄遊技処理を終了して、図７の遊技制御処理に復帰する。
【００９０】
以上、左右何れかの特別図柄が変動表示していない場合（すなわち、図１２のＳ３０２：ｎｏの場合）に、特別図柄遊技処理で行われる詳細な処理について説明した。一方、左右何れかの特別図柄が変動中に、図１２の特別図柄遊技処理が開始された場合は、最初に行うＳ３０２の判断で、特別図柄が変動中であると判断される（Ｓ３０２：ｙｅｓ）。この場合は、既に、左特別図柄あるいは右特別図柄の変動パターンおよび停止図柄が決定されて、変動表示が開始されている場合に該当する。そこで、決定された変動パターンに応じた特別図柄変動時間が経過したか否かを判断する（Ｓ３６０）。そして、未だ変動時間が経過していない場合は（Ｓ３６０：ｎｏ）、そのまま特別図柄遊技処理を終了して、図７に示す遊技制御処理に復帰する。
【００９１】
これに対して、変動時間が経過したと判断された場合は（Ｓ３６０：ｙｅｓ）、第１の演出表示部４７あるいは第２の演出表示部４８で変動表示している演出用図柄を停止表示させることを示すコマンド（図柄停止コマンド）をサブ制御基板２２０に向かって出力する（Ｓ３６２）とともに、左特別図柄表示部４３ａあるいは右特別図柄表示部４４ａで変動表示されている左右何れかの特別図柄を、予め設定しておいた図柄で停止表示させる（Ｓ３６４）。次いで、特別図柄を停止表示させる時間（停止表示時間）を設定した後（Ｓ３６６）、設定した表示時間が経過したか否かを判断する（Ｓ３６８）。そして、表示時間が経過していなければ（Ｓ３６８：ｎｏ）、そのまま特別図柄遊技処理を終了して図７に示す遊技制御処理に復帰する。
【００９２】
一方、特別図柄の停止表示時間が経過した場合は（Ｓ３６８：ｙｅｓ）、停止表示された特別図柄が条件装置を作動させることとなる図柄であるか否かを判断する（図１３のＳ３７０）。ここで、条件装置を作動させることとなる図柄とは、通常当り図柄、確変当り図柄、または特定確変当り図柄の何れかの図柄である。図１３のＳ３７０では、左特別図柄表示部４３ａまたは右特別図柄表示部４４ａで停止表示された左右何れかの特別図柄が、これらの当り図柄であるか否かを判断する。
【００９３】
停止表示された図柄が、条件装置を作動させることとなる図柄であった場合は（Ｓ３７０：ｙｅｓ）、今度は、その図柄が特定確変当り図柄であるか否かを判断する（Ｓ３７２）。そして、特定確変当り図柄ではなかった場合は（Ｓ３７２：ｎｏ）、役物連続作動装置の連続作動回数を標準回数（本実施例では１５回）に設定する（Ｓ３７６）。これに対して、特定確変当り図柄であった場合は（Ｓ３７２：ｙｅｓ）、役物連続作動装置の連続作動回数を特定確変当り用の回数（本実施例では２回）に設定する（Ｓ３７４）。
【００９４】
こうして、大入賞口の連続作動回数を設定した後、条件装置および役物連続作動装置を作動させる（Ｓ３７８）。ここで条件装置とは、後述する役物連続作動装置が作動するための条件となる装置であり、主制御基板２００のＣＰＵ２０１が実行する制御プログラムにより具現化される。具体的には、左右何れかの特別図柄が前述した何れかの当り図柄で停止表示されると作動を開始して大入賞口３１ｄを開口状態とする装置（制御手段）である。また、役物連続作動装置とは、一旦閉鎖された大入賞口３１ｄを再び開口させる装置（制御手段）であり、条件装置と同様に、主制御基板２００のＣＰＵ２０１が実行する制御プログラムにより具現化される。詳細には後述するが、こうして条件装置および役物連続作動装置を作動させることにより、特別図柄遊技処理を抜けて図７の遊技制御処理に復帰すると特別電動役物遊技処理が開始され、特別遊技状態が開始されることになる。
【００９５】
また、本実施例の遊技機１では、条件装置および役物連続作動装置の作動時は、確変機能や時短機能は働かないこととしている。尚、時短機能とは、図柄表示部４２や演出表示部４６で各種の図柄が変動表示される時間を短縮する機能である。そこで、図１３のＳ３７８において条件装置および役物連続作動装置を作動させたら、現在の遊技状態が確変中か否かを判断する（Ｓ３８０）。そして、確変中であれば（Ｓ３８０：ｙｅｓ）、確変機能および時短機能が作動しているので、これらの機能を停止させる（Ｓ３８２）。一方、現在の遊技状態が確変中ではなかった場合は（Ｓ３８０：ｎｏ）、続いて、時短中か否かを確認し（Ｓ３８４）、時短中であった場合は（Ｓ３８４：ｙｅｓ）、時短機能を停止させる（Ｓ３８６）。また、本実施例の遊技機１では、時短機能が作動している場合は、上始動口１７（普通電動役物）の開口時間を延長する機能も働いているので、時短機能を停止したら（Ｓ３８２，Ｓ３８６）、普通電動役物開口時間の延長機能も停止させた後（Ｓ３８８）、図１２および図１３に示した特別図柄遊技処理を抜けて、図７の遊技制御処理に復帰する。一方、条件装置および役物連続作動装置を作動させたときの遊技状態が確変中でも時短中でもなかった場合は（Ｓ３８４：ｎｏ）、そのまま特別図柄遊技処理を抜けて、遊技制御処理に復帰する。
【００９６】
以上、左特別図柄表示部４３ａあるいは右特別図柄表示部４４ａに停止表示された左右何れかの特別図柄が、条件装置を作動させることとなる図柄（当り図柄）であった場合（Ｓ３７０：ｙｅｓ）の処理について説明したが、停止表示された左右何れかの特別図柄が条件装置を作動させる図柄でなかった場合（外れ図柄の場合）は（Ｓ３７０：ｎｏ）、次のような処理を行う。
【００９７】
まず、現在の遊技状態が確変中か否かを判断する（Ｓ３９０）。そして、確変中と判断された場合は（Ｓ３９０：ｙｅｓ）、そのまま、特別図柄遊技処理を抜けて遊技制御処理に復帰する。これに対して、確変中ではないと判断された場合は（Ｓ３９０：ｎｏ）、今度は、時短中か否かを判断する（Ｓ３９２）。その結果、時短中でもないと判断された場合は（Ｓ３９２：ｎｏ）、特別図柄遊技処理を抜けて遊技制御処理に復帰する。一方、時短中と判断された場合は（Ｓ３９２：ｙｅｓ）、特別図柄の変動回数を計数した後（Ｓ３９４）、変動回数が所定回数に達したか否かを判断する（Ｓ３９６）。前述したように本実施例の遊技機１では、「通常当り」が発生した場合には、特別遊技の終了後に時短状態が開始され、次の大当り遊技状態が発生するか、もしくは特別図柄が所定回数変動するまでは継続する設定となっている。そこで、現在の遊技状態が時短中と判断された場合は（Ｓ３９２：ｙｅｓ）、特別図柄の変動回数を計数した後（Ｓ３９４）、変動回数の計数値が所定回数に達したか否かを判断するのである（Ｓ３９６）。そして、所定回数に達していれば（Ｓ３９６：ｙｅｓ）、時短機能を停止させ（Ｓ３９８）、続いて、普通電動役物開口時間の延長機能も停止させた後（Ｓ３８８）、図１２および図１３に示した特別図柄遊技処理を抜けて、図７の遊技制御処理に復帰する。一方、特別図柄の変動回数が、未だ所定回数に達していなければ（Ｓ３９６：ｎｏ）、時短状態を維持したまま、特別図柄遊技処理を抜けて、図７の遊技制御処理に復帰する。
【００９８】
図７に示すように、遊技制御処理では、特別図柄遊技処理から復帰すると、条件装置が作動中か否かを判断する（Ｓ３９０）。前述したように条件装置は、役物連続作動装置を作動させることにより、特別遊技状態を開始させる装置である。そこで、主制御基板２００に搭載されたＣＰＵ２０１は、条件装置が作動中であれば、以下に説明する特別電動役物遊技処理を開始する（Ｓ４００）。一方、条件装置が作動中でなければ（Ｓ３９０：ｎｏ）、特別電動役物遊技処理（Ｓ４００）はスキップして、遊技制御処理の先頭に戻り、前述した賞球関連処理（Ｓ５０）以降の一連の処理を繰り返す。
【００９９】
ここで、特別電動役物遊技処理について説明する前に、特別図柄遊技処理の中で行われる左特別図柄関連処理（図１２のＳ３２０）、および右特別図柄関連処理（図１２のＳ３４０）について説明しておく。
【０１００】
Ｃ−２−１．左特別図柄関連処理  ：
図１４は、特別図柄遊技処理の中で左特別図柄の保留を消化する際に行われる左特別図柄関連処理の流れを示すフローチャートである。図示されているように、左特別図柄関連処理（Ｓ３２０）を開始すると、先ず初めに、左特別図柄の当否判定を行う（Ｓ３２２）。
【０１０１】
図１５は、左特別図柄の当否判定を行う処理の流れを示すフローチャートである。図示するように、左特別図柄当否判定処理を開始すると、先ず初めに、現在の遊技状態が確変状態か否かを判断する（Ｓ３２２０）。そして、確変状態であれば（Ｓ３２２０：ｙｅｓ）、確変用の当否判定テーブルを選択し（Ｓ３２２２）、確変状態でなければ（Ｓ３２２０：ｎｏ）、非確変用の当否判定テーブルを選択する（Ｓ３２２４）。ここで当否判定テーブルとは、左特別図柄の当否判定乱数に対応付けて、左特別図柄の当否判定結果が設定されているテーブルであり、主制御基板２００のＲＯＭ２０２に予め記憶されている。尚、前述したように本実施例の遊技機１では、左特別図柄の他に右特別図柄も設けられており、それぞれの特別図柄について当否判定乱数が取得されている。このことと対応して、右特別図柄の当否判定乱数に対しても当否判定テーブルが用意されているが、本実施例の遊技機１では、左特別図柄および右特別図柄の当否判定テーブルは、同じテーブルが共用されている。従って、本明細書中では、左特別図柄の当否判定テーブルと、右特別図柄の当否判定テーブルとを区別することなく、単に特別図柄の当否判定テーブルと呼んでいる。
【０１０２】
図１６は、本実施例の遊技機１に記憶されている特別図柄の当否判定テーブルを例示した説明図である。図１６（ａ）には非確変用の当否判定テーブルが示されており、図１６（ｂ）には確変用の当否判定テーブルが示されている。図示するように、当否判定テーブルには、左右の特別図柄の当否判定乱数に対応付けて、「当り」あるいは「外れ」の当否判定結果が設定されている。また、図１６（ａ）と図１６（ｂ）とを比較すれば明らかなように、図１６（ｂ）に示した確変用の当否判定テーブルは、図１６（ａ）に示した非確変用の当否判定テーブルよりも多くの乱数に、「当り」の当否判定結果が設定されている。
【０１０３】
図１５に示した左特別図柄当否判定処理では、現在の遊技状態が確変中か否かに応じて対応する当否判定テーブルを選択すると、先に、特別図柄遊技処理中で読み出しておいた特別図柄当否判定乱数に基づいて、選択した当否判定テーブルを参照することにより、左特別図柄の当否判定結果が「当り」か否かを判断する（Ｓ３２２６）。上述したように、確変状態の時に参照する確変用の当否判定テーブルは、確変状態ではないときに参照する非確変用の当否判定テーブルに比べて、多くの特別図柄当否判定乱数に「当り」の当否判定結果が設定されていることから、確変中は非確変中よりも高い確率で「当り」の当否判定結果が発生することになる。
【０１０４】
そして、左特別図柄の当否判定結果が当りと判断された場合には（Ｓ３２２６：ｙｅｓ）、左特別図柄決定乱数を読み出した後（Ｓ３２２８）、左特別図柄の当り図柄を決定する処理を行う（Ｓ３２３０）。ここで、左特別図柄決定乱数とは、上始動口１７に遊技球が入球すると、図９に示した特別図柄遊技開始判断処理の中で、左特別図柄当否判定乱数とともに取得される乱数である。また、左特別図柄の当り図柄は、左図柄決定乱数に基づいて、当り図柄決定テーブルを参照することによって決定する。
【０１０５】
図１７は、左特別図柄の当り図柄を決定するために参照される当り図柄決定テーブルを例示した説明図である。前述したように、左特別図柄表示部４３ａに表示される左特別図柄では、「通常当り図柄」、「確変当り図柄」、「特定確変当り図柄」の三つの態様で当り図柄を表示することが可能であるが、当り図柄決定テーブルには、図示されるように、特別図柄決定乱数に対応付けて、何れの態様の当り図柄を表示するかが予め設定されている。尚、前述したように本実施例の遊技機１では、左特別図柄の他に右特別図柄も設けられており、それぞれについて特別図柄決定乱数が取得されている。このことと対応して、当り図柄決定テーブルも、左右の特別図柄について用意されているが、本実施例の遊技機１では、左特別図柄および右特別図柄の当り図柄決定テーブルは、同じテーブルが共用されている。従って、本明細書中では、左特別図柄の当り図柄決定テーブルと、右特別図柄の当り図柄決定テーブルとを区別することなく、単に当り図柄決定テーブルと呼んでいる。
【０１０６】
図１５に示した左特別図柄当否判定処理においては、左特別図柄決定乱数を読み出すと、図１７の当り図柄決定テーブルを参照することにより、左特別図柄の当り図柄を決定する処理を行う（Ｓ３２３０）。
【０１０７】
一方、左特別図柄の当否判定結果が「外れ」であった場合は（Ｓ３２２６：ｎｏ）、「当り」の場合と同様に左特別図柄決定乱数を読み出した後（Ｓ３２３２）、左特別図柄の外れ図柄を決定する処理を行う（Ｓ３２３４）。外れ図柄を決定する処理も、左特別図柄決定乱数に対して外れ図柄が予め設定された外れ図柄決定テーブル（図示は省略）を参照することによって行う。外れ図柄決定テーブルには、左特別図柄決定乱数に対して、予め定められた外れ図柄が設定されている。
【０１０８】
以上に説明したように、図１５に示した左特別図柄当否判定処理では、先に読み出した左特別図柄当否判定乱数に基づいて左特別図柄の当否判定を行うとともに、当否判定結果に応じて、左特別図柄の当り図柄あるいは外れ図柄を決定する処理を行う（Ｓ３２３０またはＳ３２３４）。そして、当り図柄あるいは外れ図柄を決定したら、左特別図柄当否判定処理を終了して、図１４に示した左特別図柄遊技処理に復帰する。
【０１０９】
図１４に示されるように、左特別図柄遊技処理では、左特別図柄当否判定処理から復帰すると、今度は、左特別図柄の変動パターンを設定する処理を開始する（Ｓ３２４）。
【０１１０】
図１８は、左特別図柄関連処理の中で左特別図柄の変動パターンを設定する処理（左特別図柄変動パターン設定処理）の流れを示すフローチャートである。かかる処理も左特別図柄関連処理と同様に、主制御基板２００のＣＰＵ２０１によって実行される処理である。
【０１１１】
主制御基板２００のＣＰＵ２０１は、左特別図柄変動パターン設定処理を開始すると、先ず初めに、左特別図柄の当否判定結果が当りであるか否かを判断する（Ｓ３２４０）。左特別図柄の当否判定は、左特別図柄変動パターン設定処理に先立って、図１５を用いて前述した左特別図柄当否判定処理において既に行われているので、主制御基板２００のＣＰＵ２０１は、左特別図柄の当否判定結果が当りであるか否かを直ちに判断することができる。そして、左特別図柄の当否判定結果が当りであった場合には（Ｓ３２４０：ｙｅｓ）、その当り図柄が確変当り図柄か否かを判断し（Ｓ３２４２）、確変当り図柄であった場合には（Ｓ３２４２：ｙｅｓ）、左特別図柄の確変当り用に設定されている変動パターンテーブルを選択する（Ｓ３２４４）。ここで、変動パターンテーブルとは、左特別図柄あるいは右特別図柄の変動パターン決定乱数に対応付けて、それぞれの特別図柄の変動パターンが設定されているテーブルである。変動パターンテーブルは、左特別図柄用のテーブルと、右特別図柄用のテーブルとが、それぞれ主制御基板２００搭載されたＲＯＭ２２２に予め設定されている。
【０１１２】
左特別図柄の当り図柄が確変当り図柄ではないと判断された場合には（Ｓ３２４２：ｎｏ）、今度は、当り図柄が特定確変当り図柄か否かを判断し（Ｓ３２４６）、特定確変当り図柄であった場合は（Ｓ３２４６：ｙｅｓ）、左特別図柄の特定確変当り用に設定されている変動パターンテーブルを選択する（Ｓ３２４８）。これに対して、当り図柄が特定確変当り図柄でもなかった場合は（Ｓ３２４６：ｎｏ）、通常当り図柄であると判断することができるので、左特別図柄の通常当り用に設定されている変動パターンテーブルを選択する（Ｓ３２５０）。
【０１１３】
以上、左特別図柄の当否判定結果が当りであると判断された場合（Ｓ３２４０：ｙｅｓ）に行われる処理について説明したが、当否判定結果が外れの場合は（Ｓ３２４０：ｎｏ）、リーチを行うか否かを判断する（Ｓ３２５２）。かかる判断は、乱数を用いた抽選によって行うことができる。そして、リーチを行うと判断された場合は（Ｓ３２５２：ｙｅｓ）、リーチあり外れ用に設定されている変動パターンテーブルを選択し（Ｓ３２５４）、リーチを行わないと判断された場合は（Ｓ３２５２：ｎｏ）、リーチ無し外れ用の変動パターンテーブルを選択する（Ｓ３２５６）。前述したように、左特別図柄表示部４３ａで行われる左特別図柄の変動表示は、第１の演出表示部４７の変動表示と対応しており、そして図５（ａ）を用いて前述したように、第１の演出表示部４７では、三つの７セグメントＬＥＤを変動表示させて、いわゆるリーチ演出を行うことが可能となっている。そこで、左特別図柄の当否判定結果が外れの場合には、リーチ状態を経た後に外れるのか（リーチあり外れ）、リーチ状態を経ずに外れるのか（リーチ無し外れ）を決定して、それぞれの場合に応じて設定されている変動パターンテーブルを選択する。
【０１１４】
こうして、左特別図柄の当否判定結果および当り態様あるいはリーチの有無に応じて、予め設定されている変動パターンテーブルを選択したら、左特別図柄の変動パターン決定乱数を読み出した後（Ｓ３２５８）、選択しておいた変動パターンテーブルから変動パターン決定乱数に基づいて、左特別図柄の変動パターンを決定する（Ｓ３２６０）。
【０１１５】
図１８に示した左特別図柄変動パターン設定処理では、以上のようにして、左特別図柄の当否判定結果に応じて、左特別図柄の変動パターンを決定した後、図１４の左特別図柄関連処理に復帰する。
【０１１６】
図１４に示されているように、左特別図柄変動パターン設定処理から復帰すると、主制御基板２００のＣＰＵ２０１は、左特別図柄表示部４３ａにおける左特別図柄の変動表示を開始した後（Ｓ３２６）、左特別図柄保留表示部４３ｂに表示されている左特別図柄保留数から１を減算する処理を行う（Ｓ３２８）。次いで、先に決定しておいた左特別図柄の変動パターンを指定するコマンド（変動パターン指定コマンド）を、サブ制御基板２２０に向かって出力した後（Ｓ３３０）、左特別図柄の停止図柄を指定するコマンド（特別図柄停止情報指定コマンド）を、同じくサブ制御基板２２０に向かって出力する（Ｓ３３２）。そして最後に、保留演出表示部４９に表示する保留数を指定するためのコマンド（保留表示コマンド）をサブ制御基板２２０に向かって出力する（Ｓ３３４）。すなわち、中央装置４０に設けられた保留演出表示部４９は、原則として左特別図柄保留表示部４３ｂに表示される左特別図柄の保留数を表示することになっており、先にＳ３２８において、左特別図柄保留数を１つ減算したことに対応して、保留演出表示部４９に表示される保留数を更新するべく、保留表示コマンドをサブ制御基板２２０に向かって出力するのである。図１４に示した左特別図柄関連処理では、以上のようにして、左特別図柄の変動パターンや、停止図柄を決定するとともに、左特別図柄の保留数を更新し、これらに応じて、特別図柄の変動パターン指定コマンドや、特別図柄停止情報指定コマンド、更には保留表示コマンドをサブ制御基板２２０に出力した後、図１２に示した特別図柄遊技処理に復帰する。
【０１１７】
詳細には後述するが、サブ制御基板２２０のＣＰＵ２２１は、このようにして変動パターン指定コマンドおよび特別図柄停止情報指定コマンドを受け取ることにより、左特別図柄表示部４３ａで変動表示される左特別図柄の変動時間、および停止図柄についての情報を知ることができる。そこで、これらの情報に応じて、第１の演出表示部４７で行われる演出態様を決定して、決定した演出態様を指示する制御コマンドを演出制御基板２３０へ向けて出力する。こうすることにより、左特別図柄表示部４３ａで行われる左特別図柄の変動表示および停止表示に合わせて、第１の演出表示部４７においても、演出用図柄を用いた各種の演出表示が行われる。サブ制御基板２２０で行われる処理の詳細については、後ほど詳しく説明する。
【０１１８】
Ｃ−２−２．右特別図柄関連処理  ：
図４を用いて前述したように、本実施例の中央装置４０には、左特別図柄に加えて、右特別図柄も設けられており、右特別図柄表示部４４ａにおいても左特別図柄表示部４３ａで行われる前述した左特別図柄関連処理と、ほぼ同様な処理が行われる。
【０１１９】
図１９は、特別図柄遊技処理の中で右特別図柄について行われる右特別図柄関連処理の流れを示すフローチャートである。図１９に示した右特別図柄関連処理は、図１５を用いて前述した左特別図柄関連処理とほぼ同様であるが、右特別図柄関連処理では、保留移行フラグがセットされているか否かに応じて、選択する変動パターンが異なる点、および、サブ制御基板２２０に向かって保留表示コマンドを出力する場合と出力しない場合とがある点で、左特別図柄関連処理とは大きく異なっている。以下では、これらの相違点を中心として、右当別図柄関連処理の内容について説明する。
【０１２０】
図１９に示されているように、右特別図柄関連処理（Ｓ３４０）を開始すると、先ず初めに、右特別図柄の当否判定を行う（Ｓ３４２）。かかる処理は、図１５を用いて前述した左特別図柄当否判定処理とほぼ同様な処理を行う。そこで、以下では、図１５を流用しながら、右特別図柄当否判定処理について簡単に説明する。
【０１２１】
前述した左特別図柄当否判定処理と同様に、右特別図柄当否判定処理においても、処理を開始すると、先ず初めに、現在の遊技状態が確変状態か否かを判断する（Ｓ３２２０相当）。そして、確変状態であれば確変用の当否判定テーブルを選択し（Ｓ３２２２相当）、確変状態でなければ非確変用の当否判定テーブルを選択する（Ｓ３２２４相当）。尚、前述したように、左特別図柄当否判定処理と右特別図柄当否判定処理とは当否判定テーブル（図１６参照）が共用されている。
【０１２２】
次いで、右特別図柄当否判定乱数に基づいて、当否判定テーブルを参照することにより、右特別図柄の当否判定結果が「当り」か否かを判断する（Ｓ３２２６相当）。そして、右特別図柄の当否判定結果が当りと判断された場合には（Ｓ３２２６：ｙｅｓ相当）、右特別図柄決定乱数を読み出した後（Ｓ３２２８相当）、右特別図柄の当り図柄を決定する処理を行う（Ｓ３２３０相当）。ここで、右特別図柄決定乱数とは、下始動口１８に遊技球が入球すると、図９に示した特別図柄遊技開始判断処理の中で、右特別図柄当否判定乱数とともに取得される乱数である。また、右特別図柄の当り図柄は、右図柄決定乱数に基づいて、当り図柄決定テーブルを参照することによって決定する。尚、前述したように本実施例の遊技機１では、左特別図柄の当り図柄を決定するための当り図柄決定テーブルと、右特別図柄の当り図柄を決定するための当り図柄決定テーブルとは共用されている。右特別図柄当否判定処理においては、右特別図柄決定乱数を読み出すと、図１７の当り図柄決定テーブルを参照することによって、右特別図柄の当り図柄を決定する処理を行う（図１５のＳ３２３０相当）。
【０１２３】
一方、右特別図柄の当否判定結果が「外れ」であった場合は（Ｓ３２２６：ｎｏ相当）、右特別図柄決定乱数に基づいて右特別図柄の外れ図柄を決定する処理を行う（Ｓ３２３２相当，Ｓ３２３４相当）。外れ図柄を決定する処理も、外れ図柄決定テーブル（図示は省略）を参照することによって行う。
【０１２４】
以上のようにして、右特別図柄当否判定乱数に基づいて右特別図柄の当否判定を行い、右特別図柄の当り図柄あるいは外れ図柄を決定したら、右特別図柄当否判定処理を終了して、図１９に示した右特別図柄遊技処理に復帰する。
【０１２５】
図１９に示されるように、右特別図柄遊技処理では、右特別図柄当否判定処理から復帰すると、今度は、右特別図柄の変動パターンを設定する処理を開始する（Ｓ３４４）。
【０１２６】
図２０は、右特別図柄関連処理の中で右特別図柄の変動パターンを設定する処理（右特別図柄変動パターン設定処理）の一部を示すフローチャートである。また、図２１は、右特別図柄変動パターン設定処理の残りの部分を示すフローチャートである。かかる処理も、図１８を用いて前述した左特別図柄変動パターン設定処理と同様に、主制御基板２００のＣＰＵ２０１によって実行される処理である。
【０１２７】
図２０に示されるように、右特別図柄変動パターン設定処理を開始すると、先ず初めに右特別図柄の当否判定結果が当りであるか否かを判断する（Ｓ３４００）。右特別図柄の当否判定は、図１５を流用しながら前述した右特別図柄当否判定処理において既に行われている。その結果、右特別図柄の当否判定結果が当りであった場合には（Ｓ３４００：ｙｅｓ）、その当り図柄が確変当り図柄か否かを判断し（Ｓ３４０２）、確変当り図柄であった場合には（Ｓ３４０２：ｙｅｓ）、今度は、保留移行フラグがセットされているか否かを判断する（Ｓ３４０４）。ここで保留移行フラグとは、図９および図１０を用いて前述した特別図柄遊技開始判断処理の中で、左特別図柄の保留数が残り少なく（本実施例では２未満）、且つ、右特別図柄の保留数が残っている場合にセットされるフラグである。そして、保留移行フラグがセットされていない場合は（Ｓ３４０４：ｎｏ）、右特別図柄の確変当り用に設定されている変動パターンテーブルを選択する（Ｓ３４０８）。これに対して、保留移行フラグがセットされていた場合には（Ｓ３４０４：ｙｅｓ）、左特別図柄の確変当り用に設定されている変動パターンテーブルを選択する（Ｓ３４０６）。すなわち、現在、実施中の処理は、右特別図柄の変動パターン設定処理であるにも関わらず、保留移行フラグがセットされている場合には、左特別図柄用に設定されている変動パターンテーブルを選択するのである。
【０１２８】
右特別図柄の当り図柄が確変当り図柄ではないと判断された場合には（Ｓ３４０２：ｎｏ）、今度は、当り図柄が特定確変当り図柄か否かを判断する（Ｓ３４１０）。そして、特定確変当り図柄であった場合にも（Ｓ３４１０：ｙｅｓ）、保留移行フラグがセットされているか否かを判断して（Ｓ３４１２）、保留移行フラグがセットされていなければ（Ｓ３４１２：ｎｏ）、右特別図柄の特定確変当り用に設定されている変動パターンテーブルを選択するが（Ｓ３４１６）、保留移行フラグがセットされていれば（Ｓ３４１２：ｙｅｓ）、左特別図柄の特定確変当り用の変動パターンテーブルを選択する（Ｓ３４１４）。
【０１２９】
一方、当り図柄が特定確変当り図柄でもなかった場合は（Ｓ３４１０：ｎｏ）、通常当り図柄であると判断することができる。そこで、保留移行フラグがセットされているか否かを判断して（Ｓ３４１８）、保留移行フラグがセットされていなければ（Ｓ３４１８：ｎｏ）、右特別図柄の通常当り用に設定されている変動パターンテーブルを選択し（Ｓ３４２２）、保留移行フラグがセットされていれば（Ｓ３４１８：ｙｅｓ）、左特別図柄の通常当り用の変動パターンテーブルを選択する（Ｓ３４２０）。
【０１３０】
以上、右特別図柄の当否判定結果が当りであると判断された場合（Ｓ３４００：ｙｅｓ）に行われる処理について説明したが、当否判定結果が外れの場合は（Ｓ３４００：ｎｏ）、先ず初めに、保留移行フラグがセットされているか否かを判断し（図２１のＳ３４２４）、セットされていなければ（Ｓ３４２４：ｎｏ）、右特別図柄の外れ用に設定されている変動パターンテーブルを選択する（Ｓ３４３２）。これに対して、保留移行フラグがセットされていると判断された場合は（Ｓ３４２４：ｙｅｓ）、続いて、リーチを行うか否かを判断する（Ｓ３４２６）。かかる判断は、乱数を用いた抽選によって行うことができる。そして、リーチを行うと判断された場合は（Ｓ３４２６：ｙｅｓ）、左特別図柄用に設定されたリーチあり外れ用の変動パターンテーブルを選択し（Ｓ３４２８）、リーチを行わないと判断された場合は（Ｓ３４２６：ｎｏ）、左特別図柄用に設定されたリーチ無し外れ用の変動パターンテーブルを選択する（Ｓ３４３０）。
【０１３１】
このように、図２０に示した右特別図柄の変動パターン設定処理においても、図１５に示した左特別図柄の変動パターン設定処理と同様に、右特別図柄の停止図柄に応じた変動パターンテーブルを選択するが、そのとき、保留移行フラグが設定されているか否かを判断して、保留移行フラグが設定されていなければ、右特別図柄用に設定された各種の変動パターンテーブルを選択し、保留移行フラグが設定されていた場合には、左特別図柄用の変動パターンテーブルを選択する処理を行う。
【０１３２】
こうして変動パターンテーブルを選択した後は、前述した左特別図柄変動パターン設定処理と同様にして変動パターンを決定する。すなわち、右特別図柄の変動パターン決定乱数を読み出した後（Ｓ３４２４）、選択しておいた変動パターンテーブルから変動パターン決定乱数に基づいて、特別図柄の変動パターンを決定する（Ｓ３４２６）。この結果、保留移行フラグがセットされていない場合は、右特別図柄用に設定された変動パターンが決定されるが、保留移行フラグがセットされていた場合は、右特別図柄変動パターン設定処理の中で、左特別図柄用に設定された変動パターンが決定されることになる。
【０１３３】
図２０に示した右特別図柄変動パターン設定処理では、以上のようにして、右特別図柄の当否判定結果に応じて、特別図柄の変動パターンを決定した後、図１９の右特別図柄関連処理に復帰する。
【０１３４】
図１９に示されているように、右特別図柄変動パターン設定処理から復帰すると、主制御基板２００のＣＰＵ２０１は、右特別図柄表示部４４ａにおける右特別図柄の変動表示を開始した後（Ｓ３４６）、右特別図柄保留表示部４４ｂに表示されている右特別図柄保留数から１を減算する処理を行う（Ｓ３４８）。次いで、先に決定しておいた特別図柄の変動パターンを指定するコマンド（変動パターン指定コマンド）を、サブ制御基板２２０に向かって出力する（Ｓ３５０）。このとき出力される変動パターン指定コマンドは、保留移行フラグが設定されている場合は、左特別図柄用の変動パターンを指定するコマンドとなっており、逆に、保留移行フラグが設定されていない場合は、右特別図柄用の変動パターンを指定するコマンドとなっている。
【０１３５】
尚、後述するように、左特別図柄用の変動パターンを指定するコマンドがサブ制御基板２２０に出力された場合は、中央装置４０では第１の演出表示部４７で変動表示が行われ、右特別図柄用の変動パターンを指定するコマンドがサブ制御基板２２０に出力された場合は、第２の演出表示部４８で変動表示が行われる。従って、保留移行フラグがセットされていた場合には、右特別図柄の保留に対しても左特別図柄用の変動パターンを指定するコマンドが出力されるので、第１の演出表示部４７で変動表示が行われることになる。こうした動作は、主制御基板２００のＣＰＵ２０１が、図１９に示した右特別図柄関連処理を実行することによって実現されている。従って、本実施例の主制御基板２００に搭載されたＣＰＵ２０１は、本発明における「第２保留変動表示実行手段」に対応するものとなっている。
【０１３６】
また、右特別図柄関連処理においても、図１４を用いて前述した左特別図柄関連処理と同様に、変動パターン指定コマンドに続いて、右特別図柄の停止図柄を指定するコマンド（特別図柄停止情報指定コマンド）をサブ制御基板２２０に向かって出力する（Ｓ３５２）。但し、右特別図柄関連処理では、特別図柄停止情報指定コマンドを出力すると、保留移行フラグがセットされているか否かを判断し（Ｓ３５４）、保留移行フラグがセットされている場合は（Ｓ３５４：ｙｅｓ）、左特別図柄関連処理と同様に、保留表示コマンドをサブ制御基板２２０に向かって出力する。すなわち、図９および図１０を用いて前述した特別図柄遊技開始判断処理において、左特別図柄の保留数が残り少なくなった場合には、右特別図柄の保留数が残っている場合には、保留移行フラグがセットするとともに（図１０のＳ２７４参照）、保留表示コマンドを出力して左右の特別図柄の保留を合わせた保留数を保留演出表示部４９に表示することになっている。これを受けて、図１９の右特別図柄関連処理においては、保留移行フラグがセットされていれば、左特別図柄の保留数に加えて右特別図柄の保留数も保留演出表示部４９に表示されているものと判断して、表示されている保留数の中の右特別図柄に対応する保留分を１つ減らすべく、保留表示コマンドをサブ制御基板２２０に出力するのである（Ｓ３５６）。こうして、左特別図柄の保留数に加えて右特別図柄の保留数も保留演出表示部４９の表示に反映させたら、保留移行フラグはクリアしておく（Ｓ３５８）。
【０１３７】
これに対して、保留移行フラグがセットされていない場合は（Ｓ３５４：ｎｏ）、右特別図柄の保留は保留演出表示部４９に表示されていないので、保留表示コマンドを出力することなく、図１９に示した右特別図柄関連処理を終了して、図１２の特別図柄遊技処理に復帰する。
【０１３８】
詳細には後述するが、サブ制御基板２２０では、このようにして右特別図柄関連処理によって出力された各種コマンドに基づいて、中央装置４０の演出表示部４６で行われる演出を制御する。特に、出力された変動パターン指定コマンドの内容が、左特別図柄用の変動パターンを指定するコマンドであった場合は、第１の演出表示部４７を用いて演出を行い、これに対して変動パターン指定コマンドの内容が、右特別図柄用の変動パターンを指定するコマンドであった場合は、第２の演出表示部４８を用いて演出を行う。こうすることで、複数の始動口を搭載していることを活かしながら、遊技が複雑になることを回避して、遊技者の興趣を引き付けておくことが可能となる。この点については、後ほど詳しく説明する。
【０１３９】
以上に説明したように、図７に示した遊技制御処理の中で行われる特別図柄遊技処理では（Ｓ３００）、上始動口１７に遊技球が入球した場合には、左特別図柄表示部４３ａで左特別図柄の変動表示を行い、下始動口１８に遊技球が入球した場合には、右特別図柄表示部４４ａで右特別図柄の変動表示を行う。そして、左特別図柄あるいは右特別図柄が何れかの当り図柄で停止表示された場合には、条件装置および役物連続作動装置の作動を開始する（図１３のＳ３７８）などの、種々の処理を行った後、図７の遊技制御処理に復帰する。
【０１４０】
図７に示すように遊技制御処理では、特別図柄遊技処理から復帰すると、条件装置が作動中か否かを判断し（Ｓ３９０）、条件装置が作動中であれば（Ｓ３９０：ｙｅｓ）、以下に説明する特別電動役物遊技処理を行うことによって、いわゆる大当り遊技（特別遊技）を開始する。これに対して、条件装置が作動中でないと判断されれば（Ｓ３９０：ｎｏ）、以下に説明する特別電動役物遊技処理はスキップする。
【０１４１】
Ｃ−３．特別電動役物遊技処理  ：
図２２は、特別電動役物遊技処理の一部の流れを示すフローチャートである。また、図２３は、特別電動役物遊技処理の残りの部分の流れを示すフローチャートである。以下、図２２および図２３を参照しながら特別電動役物遊技処理について説明するが、その準備として、いわゆる大当り遊技（特別遊技状態）と呼ばれる遊技の内容について簡単に説明しておく。
【０１４２】
図２を用いて前述したように、遊技盤の下方には大入賞口３１ｄが設けられており、この大入賞口３１ｄは通常の遊技状態では閉鎖されている。しかし、特別遊技が開始されると、大入賞口３１ｄが開口状態となる。本明細書中で言う「特別電動役物」とは、大入賞口３１ｄを開口状態とする装置である。大入賞口３１ｄは他の入賞口に比べて大きく開口するため、大入賞口３１ｄが開口状態になると、遊技球が高い確率で入球することになる。開口された大入賞口３１ｄは、所定の開口時間が経過するか、あるいは所定数の遊技球が入球すると一旦閉鎖されるが、所定の閉鎖時間が経過すると再び開口状態となる。本明細書中で言う「役物連続作動装置」とは、大入賞口３１ｄを再び開口状態とする装置であり、主制御基板２００のＣＰＵ２０１を主体として構成される。また、大入賞口３１ｄが開口してから閉鎖するまでの遊技は、「ラウンド」と呼ばれる。こうしたラウンドを繰り返して、所定回数のラウンドを消化したら特別遊技状態が終了する。以下、上述した特別遊技を実行するために、主制御基板２００のＣＰＵ２０１が行う特別電動役物遊技処理について、図２２および図２３を参照しながら説明する。
【０１４３】
主制御基板２００のＣＰＵ２０１は、特別電動役物遊技処理（Ｓ４００）を開始すると先ず初めに、大入賞口３１ｄが開口中か否かを判断する（Ｓ４０２）。大入賞口３１ｄは、通常の遊技状態では閉鎖されており、従って特別遊技の開始直後は、大入賞口３１ｄは閉鎖状態となっている。そこで、大入賞口は開口中ではないと判断して（Ｓ４０２：ｎｏ）、特別電動役物の連続作動回数が所定回数に達したか否かを判断する（Ｓ４０４）。前述したように特別電動役物とは、大入賞口３１ｄを開口させる装置であり、特別遊技状態が発生すると特別電動役物が所定回数だけ作動して、所定回数のラウンドが繰り返されることになっている。このことに対応して、大入賞口３１ｄが閉鎖されている場合は（Ｓ４０２：ｎｏ）、特別電動役物の作動回数が所定回数に達したか否か、換言すれば、所定回数のラウンドが終了したか否かを判断する（Ｓ４０４）。
【０１４４】
当然のことながら、特別遊技が開始された直後は、特別電動役物の作動回数が所定回数に達していないから（Ｓ４０４：ｎｏ）、大入賞口の閉鎖時間が経過したか否かを判断する（Ｓ４０６）。大入賞口の閉鎖時間とは、ラウンドとラウンドとの間で大入賞口３１ｄが閉鎖状態となっている時間である。特別遊技が開始された直後は、大入賞口３１ｄは閉鎖状態となっているから、当然、大入賞口３１ｄの閉鎖時間が経過していると判断され（Ｓ４０６：ｙｅｓ）、大入賞口３１ｄを開口させた後（Ｓ４０８）、図２２に示した特別電動役物遊技処理を一旦終了して、図７の遊技制御処理に復帰する。
【０１４５】
主制御基板２００のＣＰＵ２０１は遊技制御処理に復帰すると、図７に示したように、賞球関連処理（Ｓ５０）以降の一連の各種処理を行った後、再び特別電動役物遊技処理（Ｓ４００）を開始する。前述したように、図７に示した遊技制御処理を、主制御基板２００のＣＰＵ２０１が一回、実行するために要する時間は、約４ｍｓｅｃとなっている。従って、図２２に示した特別電動役物遊技処理も、約４ｍｓｅｃ毎に実行されることになる。そして、特別遊技が開始されて、図２２の特別電動役物遊技処理が初めて実行された場合には、前述したようにＳ４０８において大入賞口３１ｄを開口させて、そのまま処理を終了するが、約４ｍｓｅｃ後に２周目の処理を行う場合には、Ｓ４０２にて、大入賞口３１ｄが開口中（Ｓ４０２：ｙｅｓ）と判断されることになる。
【０１４６】
次いで、大入賞口３１ｄの開口時間が所定時間に達したか否かを判断する（Ｓ４１０）。前述したように、特別遊技では、大入賞口３１ｄが開口状態となるが、開口時間が所定時間に達するか、または大入賞口３１ｄに所定数の遊技球が入球すると閉鎖される。このことに対応して、Ｓ４１０では大入賞口３１ｄの開口時間が所定時間に達したか否かを判断する。そして、開口時間が所定時間に達していれば（Ｓ４１０：ｙｅｓ）、大入賞口３１ｄを閉鎖した後（Ｓ４１４）、図２２に示した特別電動役物遊技処理を抜けて、図７の遊技制御処理に復帰する。一方、開口時間が所定時間に達していない場合は（Ｓ４１０：ｎｏ）、大入賞口３１ｄに入球した遊技球が規定数に達しているか否かを判断する（Ｓ４１２）。そして、遊技球が規定数に達した場合は（Ｓ４１２：ｙｅｓ）、大入賞口３１ｄを閉鎖する（Ｓ４１４）。これに対して、規定数に達していない場合は（Ｓ４１２：ｎｏ）、大入賞口３１ｄの開口時間が未だ所定時間に達しておらず、しかも大入賞口３１ｄに入球した遊技球も規定数に達していないことになるので、大入賞口３１ｄを開口させたまま、図２２に示した特別電動役物遊技処理を抜けて、図７の遊技制御処理に復帰する。
【０１４７】
図７の遊技制御処理を何回も繰り返し実行しているうちに、大入賞口３１ｄの開口時間が所定時間に達するか（図２２のＳ４１０：ｙｅｓ）、もしくは大入賞口３１ｄに規定数数の遊技球が入球して（Ｓ４１２：ｙｅｓ）、大入賞口３１ｄが閉鎖される（Ｓ４１４）。こうして、１ラウンドの遊技が終了する。そして、次に特別電動役物遊技処理が実行された時には、Ｓ４０２において大入賞口３１ｄが閉鎖中と判断され（Ｓ４０２：ｎｏ）、所定回数のラウンドが終了したか否かが判断され（Ｓ４０４）、全てのラウンドが終了していなければ（Ｓ４０４：ｎｏ）、大入賞口の閉鎖時間が所定時間に達したことを確認した後（Ｓ４０６：ｙｅｓ）、再び大入賞口３１ｄを開口状態として新たなラウンドを開始する（Ｓ４０８）。一方、Ｓ４０４において、所定回数のラウンドが終了したと判断された場合は（Ｓ４０４：ｙｅｓ）、特別遊技状態を終了させるべく、条件装置および役物連続作動装置の作動を停止する（Ｓ４１６）。
【０１４８】
以上のようにして特別遊技が終了したら、条件装置を作動させることとなった特別図柄（特別遊技を開始させることとなった当り図柄）が「確変当り図柄」または「特定確変当り図柄」であったか否かを判断する（図２３のＳ４１８）。そして、これら何れかの図柄であったと判断された場合は（Ｓ４１８：ｙｅｓ）、確変機能の作動を開始した後（Ｓ４２０）、条件装置を作動させることとなった特別図柄が「確変当り図柄」であったか否かを判断する（Ｓ４２２）。その結果、「確変当り図柄」であると判断された場合は（Ｓ４２２：ｙｅｓ）、確変機能に加えて、普通電動役物の開口時間延長機能および時短機能の作動を開始する（Ｓ４２８、Ｓ４３０）。尚、こうして確変機能の作動が開始されると、いわゆる確変状態となって、次回以降に行われる左特別図柄あるいは右特別図柄の当否判定において、通常の状態よりも、当りの判定が高い確率で発生する高確率状態となる。
【０１４９】
これに対して、条件装置を作動させた図柄（当り図柄）が「確変当り図柄」ではないと判断された場合は（Ｓ４２２：ｎｏ）、「特定確変当り図柄」によって作動したことになる。そこで、条件装置の作動開始時（特別遊技開始時）に普通電動役物の開口時間延長機能が作動していたか否か、換言すれば、特定確変当り図柄が停止表示されたのが確変中または時短中であったか否かを判断する（Ｓ４２４）。そして、条件装置の作動開始時に開口時間延長機能が作動していたと判断されれば（Ｓ４２４：ｙｅｓ）、普通電動役物の開口時間延長機能および時短機能の作動を開始する（Ｓ４２８、Ｓ４３０）。これに対して、条件装置の作動開始時に開口時間延長機能が作動していなかったと判断された場合は（Ｓ４２４：ｎｏ）、普通電動役物の開口時間延長機能および時短機能の作動を開始する処理はスキップする。
【０１５０】
一方、条件装置を作動させることとなった特別図柄が「確変当り図柄」または「特定確変当り図柄」では無いと判断された場合は（Ｓ４１８：ｎｏ）、条件装置を作動させることとなった特別図柄は「通常当り図柄」であったことになるので、確変機能は作動させることなく、普通電動役物開口時間延長機能の作動を開始し（Ｓ４２８）、続いて時短機能の作動を開始する（Ｓ４３０）。
【０１５１】
以上のように、条件装置を作動させることとなった特別図柄の種類や、条件装置の作動開始時における開口時間延長機能の作動有無に応じて、確変機能、時短機能、開口時間延長機能の作動を開始する処理を行い、最後に、大当り遊技の終了を示すコマンド（大当り遊技終了コマンド）を、サブ制御基板２２０に出力し（Ｓ４３２）、図２２および図２３に示す特別電動役物遊技処理を終了する。いわゆる大当り遊技（特別遊技）は、主制御基板２００に搭載されたＣＰＵ２０１が、以上のような特別電動役物遊技処理を実行することによって行われている。
【０１５２】
主制御基板２００に搭載されたＣＰＵ２０１は、以上のような遊技制御処理を繰り返し行うことによって、遊技機１の遊技を進行させる。そして、上始動口１７あるいは下始動口１８に遊技球が入球すると、入球した始動口に応じて、左特別図柄関連処理（図１２のＳ３２０）または右特別図柄関連処理（図１２のＳ３４０）の中で特別図柄の当否判定が行われ、当否判定結果が「当り」であった場合には、条件装置および役物連続作動装置が作動して（図１３のＳ３７８）、特別遊技状態が開始される。また、主制御基板２００のＣＰＵ２０１は、このような処理を行う中で、サブ制御基板２２０に向かって各種のコマンドを出力する。
【０１５３】
サブ制御基板２２０では、主制御基板２００から受け取ったコマンドに基づいて、演出表示部４６で行われる演出内容を制御する。以下では、サブ制御基板２２０が行う演出制御処理について詳しく説明する。
【０１５４】
Ｄ．演出制御処理  ：
図２４は、主制御基板２００からのコマンドに基づいて本実施例のサブ制御基板２２０が実行する演出制御処理の前半部分の処理を示すフローチャートである。また、図２５は、演出制御処理の後半部分の処理を示すフローチャートである。以下、図２４および図２５のフローチャートに従って、演出制御処理の詳細な処理内容について説明する。
【０１５５】
図２４に示されているように、演出制御処理では、先ず初めに、主制御基板２００から特別図柄の変動パターン指定コマンドを受信したか否かを判断する（Ｓ１００２）。特別図柄の変動パターンは、上始動口１７への入球が検出されると、図１４を用いて前述した左特別図柄関連処理の中で決定され、下始動口１８への入球が検出されると、図１９を用いて前述した右特別図柄関連処理の中で決定されて、主制御基板２００からサブ制御基板２２０に向かって出力される。その結果、変動パターン指定コマンドを未だ受信していないと判断された場合は（図２４のＳ１００２：ｎｏ）、コマンドを監視しながら待機状態となる。そして、遊技を続けている間に、上始動口１７あるいは下始動口１８の何れかに遊技球が入球して、主制御基板２００から出力された変動パターン指定コマンドを受信したことを確認したら（Ｓ１００２：ｙｅｓ）、続いて、主制御基板２００から特別図柄停止情報指定コマンドを受信したか否かを判断する（Ｓ１００４）。図１４を用いて前述した左特別図柄関連処理、あるいは図１９を用いて前述した右特別図柄関連処理の何れにおいても、主制御基板２００は特別図柄の変動パターン指定コマンドを出力すると、直ぐに続いて、特別図柄停止情報指定コマンドも出力するので、サブ制御基板２２０のＣＰＵ２２１は、特別図柄変動パターン指定コマンドを受信すると、やがて特別図柄の停止情報指定コマンドも受信することができる。
【０１５６】
こうして、特別図柄の変動パターン指定コマンドおよび特別図柄停止情報指定コマンドを受信したら（Ｓ１００４：ｙｅｓ）、受け取った変動パターンが、左特別図柄に対応する変動パターンか否かを判断する（Ｓ１００６）。すなわち、図１８に示した左特別図柄変動パターン設定処理、あるいは図２１に示した右特別図柄変動パターン設定処理では、前述したように特別図柄の変動パターンテーブルを参照することによって変動パターンが決定されており、この変動パターンテーブルには、左特別図柄用の変動パターンテーブルと、右特別図柄用の変動パターンテーブルとが設けられている。そして、左特別図柄用の変動パターンテーブルに設定されている変動パターンと、右特別図柄用の変動パターンテーブルに設定されている変動パターンとは、異なる変動パターンが設定されている。このため、サブ制御基板２２０は、主制御基板２００から特別図柄の変動パターン指定コマンドを受け取ると、その変動パターンが、左特別図柄用の変動パターンか、右特別図柄用の変動パターンかを判断することが可能となっている。図２４のＳ１００６では、このようにして、主制御基板２００から受信した特別図柄の変動パターンが、左特別図柄用の変動パターンであるか否かを判断する。
【０１５７】
その結果、左特別図柄用の変動パターンであると判断された場合は（Ｓ１００６：ｙｅｓ）、第１の演出表示部４７に搭載された三つの７セグメントＬＥＤを用いて、演出用図柄の変動表示を開始する（Ｓ１００８）。次いで、サブ制御基板２２０のＣＰＵ２２１は、保留表示コマンドを受信したか否かを判断する（Ｓ１０１２）。前述したように、保留表示コマンドは保留演出表示部４９に保留数を表示するためのコマンドであり、保留演出表示部４９に表示された保留数は、第１の演出表示部４７で演出用図柄の変動表示を行う度に、一つずつ消化していく。このことと対応して、第１の演出表示部４７で演出用図柄の変動表示を開始すると（Ｓ１００８）、続いて保留表示コマンドを受信したか否かを判断する（Ｓ１０１２）。そして、受信していなければ（Ｓ１０１２：ｎｏ）、そのまま待機状態となり、保留表示コマンドの受信を確認できたら（Ｓ１０１２：ｙｅｓ）、コマンドに指定された内容に従って、保留演出表示部４９に表示された保留数を変更する（Ｓ１０１４）。
【０１５８】
これに対して、左特別図柄用の変動パターンではないと判断された場合は（Ｓ１００６：ｎｏ）、第２の演出表示部４８に搭載された複数のＬＥＤを点灯させて、演出用図柄の変動表示を開始する（Ｓ１０１０）。また、第２の演出表示部４８で演出用図柄が変動表示されても、保留演出表示部４９に表示された保留数が消化することはないので、主制御基板２００から保留表示コマンドが送信されてくることもない。このため、第２の演出表示部４８で変動表示を開始した場合は（Ｓ１０１０）、保留表示コマンドの受信を確認して保留演出表示部４９の表示を変更する処理はスキップする。
【０１５９】
こうして、第１の演出表示部４７または第２の演出表示部４８で演出用図柄の変動表示を開始したら、今度は、主制御基板２００からの図柄停止コマンドを受信したか否かを判断する（図２５のＳ１０１６）。図１２を用いて説明したように、主制御基板２００で行われる特別図柄遊技処理では、第１の演出表示部４７に対応する左特別図柄表示部４３ａで変動表示を行った場合でも、あるいは第２の演出表示部４８に対応する右特別図柄表示部４４ａで変動表示を行った場合でも、サブ制御基板２２０に向かって、必ず図柄停止コマンドが出力される（Ｓ３６２）。そこで、サブ制御基板２２０で行う演出制御処理では、第１の演出表示部４７あるいは第２の演出表示部４８の何れで変動表示を行った場合でも、主制御基板２００から図柄停止コマンドが送られてきたか否かを確認し（図２５のＳ１０１６）、未だ送られて来ていない場合は（Ｓ１０１６：ｎｏ）、そのまま待機状態となる。
【０１６０】
そして、図柄停止コマンドの受信を確認したら（Ｓ１０１６：ｙｅｓ）、変動表示中の演出用図柄の停止図柄を、先に受け取っていた特別図柄停止情報指定コマンドに基づいて決定する（Ｓ１０１８）。前述したように、左右の特別図柄には「確変当り図柄」、「特定確変当り図柄」、「通常当り図柄」、「外れ図柄」の４種類の図柄が設定されており、特別図柄停止情報指定コマンドは、左右の特別図柄の停止図柄に関する情報が含まれている。そこで、サブ制御基板２２０の演出制御処理では、特別図柄停止情報指定コマンドに基づいて、変動中の演出用図柄の停止図柄を決定する。
【０１６１】
例えば、演出用図柄の変動表示が第１の演出表示部４７で行われている場合について説明すると、特別図柄停止情報指定コマンドに指定された図柄が「当り図柄」であれば、三つの７セグメントＬＥＤが同じ数字となる図柄に決定する。特に「確変当り図柄」であれば奇数の図柄に決定し、「通常当り図柄」であれば偶数の図柄に決定する。尚、「特定確変当り図柄」であった場合は、当り図柄ではあるが、同じ数字ではなく特定の数字の組合せ（例えば、「１２３」など）に決定する。また、「外れ図柄」であった場合は、「当り図柄」には該当しない何れかの図柄に決定する。サブ制御基板２２０のＲＯＭ２２２には、左右の特別図柄に対応付けて、こうした複数の演出用図柄が記憶されている。そして、演出制御処理のＳ１０１８では、特別図柄停止情報指定コマンドで指定された停止図柄に対応付けて記憶されている複数の演出用図柄の中から抽選することで、停止図柄を決定する処理を行う。また、第２の演出表示部４８で変動表示を行っている場合についても同様に、左右の特別図柄の停止図柄に対応付けて、複数の演出用図柄（ここでは、６つのＬＥＤの点灯状態）がＲＯＭ２２２に記憶されており、特別図柄停止情報指定コマンドで指定された停止図柄に対応付けられた複数の演出用図柄の中から停止図柄を決定する処理を行う。
【０１６２】
こうして、停止図柄を決定したら、変動表示中の演出用図柄を、決定した図柄で停止表示させる（Ｓ１０２０）。そして、停止表示した図柄が、当り図柄か否かを判断し（Ｓ１０２２）、当り図柄ではなかった場合は（Ｓ１０２２：ｎｏ）、そのまま先頭に戻って、主制御基板２００から変動パターン指定コマンドを受け取ったか否かの監視を再開する（Ｓ１００２）。
【０１６３】
これに対して、停止表示された図柄が当り図柄であると判断した場合は（Ｓ１０２４：ｎｏ）、当り図柄が停止表示されたのが第２の演出表示部４８か否かを判断する（Ｓ１０２６）。そして、第２の演出表示部４８ではないと判断された場合は（Ｓ１０２６：ｎｏ）、第１の演出表示部４７で当り図柄が停止表示されたことになるので、大当り遊技に伴う演出（例えば、大当りラウンド演出、大当りエンディング演出など）を実行し（Ｓ１０３０）、大当り遊技の演出終了後は、先頭に戻って、変動パターン指定コマンドを受け取ったか否かの監視を再開する（Ｓ１００２）。
【０１６４】
一方、当り図柄が停止表示されたのが第２の演出表示部４８であったと判断された場合は（Ｓ１０２６：ｙｅｓ）、第１の演出表示部４７の左右に設けられた演出用ランプ部５２を用いて所定の演出（例えば、大当り報知演出、特殊モード突入演出など）を実施した後（Ｓ１０２８）、大当り遊技に伴う演出を開始する（Ｓ１０３０）。そして、大当り遊技の演出終了後は、先頭に戻って、変動パターン指定コマンドを受け取ったか否かの監視を再開する（Ｓ１００２）。
【０１６５】
本実施例の遊技機１に搭載されたサブ制御基板２２０では、以上に説明した演出制御処理を実行することによって、中央装置４０での遊技の演出を行う。図２を用いて前述したように、本実施例の遊技機１には、上始動口１７および下始動口１８の二つの始動口が設けられているが、このような制御を行うことにより、複数の始動口が設けられていることで遊技が複雑となることを回避しつつ、保留が途切れ難く（従って、演出用図柄の変動表示が途切れ難く）遊技者の興趣を喚起することが可能となっている。以下では、この点について詳しく説明する。
【０１６６】
先ず、遊技盤面の構成は、図２に示したように、もっとも遊技者の目に付き易い位置に第１の演出表示部４７（本実施例では、７セグメントＬＥＤを用いて構成されている）が設けられており、第２の演出表示部４８は、第１の演出表示部４７と比べれば遙かに目立ち難い態様で設けられている。このため、本実施例の遊技機１を見た遊技者は、第１の演出表示部４７に注意を奪われて、中央装置４０に二つの演出表示部が搭載されていることに気付き難くなっている。
【０１６７】
また、上始動口１７は、いわゆるチューリップ式の入球口となっているため、遊技者は直ちにそれが始動口であると認識することができるが、下始動口１８は、一般入球口１９と同じポケット式の入球口となっているため、始動口であることが分かり難くなっている。そして、上始動口１７に遊技球が入球すると、遊技者にとって目に付き易い第１の演出表示部４７で演出用図柄の変動表示が開始され、第１の演出表示部４７または第２の演出表示部４８での変動表示中に、上始動口１７に遊技球が入球した場合には、保留演出表示部４９に保留が蓄積表示される。一方、下始動口１８に遊技球が入球した場合には、第２の演出表示部４８で演出用図柄の変動表示が行われる。また、第１の演出表示部４７または第２の演出表示部４８での変動表示中に、下始動口１８に遊技球が入球した場合には、保留として蓄えられる（記憶される）ものの、少なくとも遊技者に分かり易い態様では、保留が表示されることはない。
【０１６８】
このように遊技者が、始動口であると直ちに認識できる上始動口１７に遊技球が入球した場合には、遊技者の目に付き易い第１の演出表示部４７で演出用図柄の変動表示が開始されるのに対して、始動口であると容易に認識できない下始動口１８に遊技球が入球した場合には、第１の演出表示部４７よりは遊技者の目に止まり難い第２の演出表示部４８で変動表示が開始される。加えて、保留演出表示部４９に保留が蓄えられている場合は、演出用図柄の変動表示が終了しても、再び第１の演出表示部４７で変動表示が開始される。これに対して、第２の演出表示部４８に対する保留は、少なくとも保留演出表示部４９のように遊技者に分かり易い態様で表示されることはない。
【０１６９】
このため本実施例の遊技機１で遊技を行う遊技者は、始動口（実際には上始動口１７）に遊技球を入球させて、中央装置４０に設けられた図柄表示部（実際には第１の演出表示部４７）で演出用図柄を変動表示させ、当り図柄が停止表示されると、大当り遊技が開始され、また、演出用図柄の変動表示中に始動口（実際には上始動口１７）に遊技球が入球した場合には保留として蓄えられる従来からの一般的な遊技機と同じようにして、遊技を進めることができる。従って、複数の始動口が搭載されていることによる遊技の複雑さを、全く遊技者に感じさせることがない。
【０１７０】
もちろん、第１の演出表示部４７での変動表示では外れた後、第２の演出表示部４８の変動表示で、当りが発生する場合も起こり得る。遊技者は、もっぱら第１の演出表示部４７を見ながら遊技を行うものと考えられるから、第１の演出表示部４７では外れたのに大当り遊技が開始されたのでは、遊技者に不自然な印象を与えるおそれがある。そこで、第１の演出表示部４７での外れ変動表示に続いて第２の演出表示部４８の変動表示で当りが発生する場合は、第２の演出表示部４８に設けられた複数のＬＥＤをできるだけ目立つ態様で点滅させた後、当り図柄を停止表示させ、その後、演出用ランプ部５２を用いて、大当りが発生した旨を報知する演出を行う（図２５のＳ１０２６〜Ｓ１０２８を参照のこと）。
【０１７１】
図２６は、第２の演出表示部４８での変動表示で大当りが発生した場合に行われる演出の様子を例示した説明図である。図２６（ａ）は、第２の演出表示部４８での変動表示に先立って、第１の演出表示部４７で外れ図柄が停止表示されている様子を表している。第２の演出表示部４８での変動表示は、このように第１の演出表示部４７で外れ図柄が停止表示された状態から開始される。図２６（ｂ）は、第２の演出表示部４８で大当りが発生する場合に、第２の演出表示部４８を構成する複数のＬＥＤを点滅させて演出用図柄の変動表示を行っている様子を例示したものである。図示されているように、第１の演出表示部４７では外れの図柄が表示されているものの、第２の演出表示部４８では派手な態様でＬＥＤの点滅を行うことで、「実際には単なる外れではないのでは？」と遊技者に思わせることができる。もちろん、第２の演出表示部４８でも外れる場合には、このような派手な態様でＬＥＤを点滅させなければよい。
【０１７２】
そして、第２の演出表示部４８を当りの図柄で停止表示させた後、演出用ランプ部５２を用いて、大当りの発生を報知する演出を行う。図２６（ｃ）は、第２の演出表示部４８を構成するＬＥＤを一斉に点灯させて、当り図柄を停止表示させるとともに、演出用ランプ部５２を用いて大当りの発生を報知する演出を行っている様子を例示したものである。第２の演出表示部４８で当りが発生する場合には、このような演出を行うと、遊技者は、第１の演出表示部４７で外れの図柄が停止表示されたものの、それは見せかけの表示で、本当は当たっていたのだと感じることになる。その結果、第２の演出表示部４８で当りが発生した場合でも、遊技者には、第２の演出表示部４８で行われる演出（変動表示）が第１の演出表示部４７で行われる演出（変動表示）の延長上の演出（いわゆる発展演出）と認識させることができ、第２の演出表示部４８が下始動口１８への遊技球の入球に基づく右特別図柄表示部４４ａでの変動表示に連動していることを意識させることがないので、遊技が複雑になってしまうことがない。
【０１７３】
このように、本実施例の遊技機１では、上始動口１７および下始動口１８の二つの始動口を搭載し、それぞれに第１の演出表示部４７および第２の演出表示部４８を搭載しているものの、通常の遊技では、始動口および演出表示部が２つずつ搭載されていることを、遊技者には全く意識させることなく遊技を行うことができる。
【０１７４】
また、本来は、遊技盤面の目立つ位置で図柄を変動表示することによって行われる演出は、遊技者にとっては最も楽しめる演出であることから、第１の演出表示部４７での変動表示が行われない状態が続くと、遊技者の興趣を冷ましてしまうおそれがある。特に、第１の演出表示部４７での変動表示を行うためには、上始動口１７に遊技球を入球させなければならず、そのためには、先ず、上始動口作動ゲート３６に遊技球を通過させて上始動口１７を開口させるという二段階の手順を踏むことになる。このため、第１の演出表示部４７での変動表示が途切れてしまい、遊技者の興趣を冷ましてしまうことも起こり得る。そこで、上始動口１７に遊技球が入球して蓄えられた保留が少なくなってきた場合には、下始動口１８への入球によって蓄えられる保留を、上始動口１７の保留に移行させることで、遊技者に気付かれ難い状態で行われる第２の演出表示部４８での変動表示を、第１の演出表示部４７で行う。こうすることで、第１の演出表示部４７での変動表示が途切れることを回避することができ、延いては、遊技者の興趣を冷ましてしまうことを回避することが可能となっている。
【０１７５】
図２７は、下始動口１８への入球による保留を上始動口１７の保留に移行させることで、第１の演出表示部４７での演出用図柄の変動表示が途切れることを回避する様子を例示した説明図である。一例として、図２７（ａ）には、上始動口１７への入球に対する保留は２つ蓄えられており、下始動口１８への入球に対する保留は１つだけ蓄えられている場合を示している。上始動口１７への入球に対する保留が２つ蓄えられていることに対応して、左特別図柄保留表示部４３ｂには２つのＬＥＤが点灯され、下始動口１８への入球に対する保留が１つ蓄えられていることに対応して、右特別図柄保留表示部４４ｂには１つだけＬＥＤが点灯されている。尚、保留演出表示部４９には、原則として左特別図柄表示部４３ａに蓄えられた保留（上始動口１７に対する保留）が表示されるので、右特別図柄保留表示部４４ｂに蓄えられた保留は反映されず、左特別図柄保留表示部４３ｂに蓄えられた保留に対応して、２つだけＬＥＤが点灯された状態となっている。
【０１７６】
このような状態から、上始動口１７への入球に対する保留を１つ消化すると、左特別図柄保留表示部４３ｂに蓄えられた保留も、右特別図柄保留表示部４４ｂに蓄えられた保留も、何れも１つずつとなる。尚、この保留は、上始動口１７への入球に対する保留であるから、保留の消化の際には、第１の演出表示部４７で演出用図柄の変動表示が行われる。このように、左特別図柄保留表示部４３ｂに蓄えられた保留（従って、保留演出表示部４９に表示されている保留）が少なくなると、図１０を用いて前述したように、主制御基板２００で行われる特別図柄遊技開始判断処理の中で、保留移行フラグがセットされて（Ｓ２７４）、右特別図柄保留表示部４４ｂに蓄えられた保留も、保留演出表示部４９に表示する処理が行われる（Ｓ２７６）。
【０１７７】
図２７（ｂ）には、下始動口１８への入球に対する保留（右特別図柄保留表示部４４ｂに蓄えられた保留）が移行されて、保留演出表示部４９に表示されている様子が示されている。図中では、上始動口１７への入球に対する保留を黒塗りで表し、下始動口１８への入球に対する保留を細かいハッチングを付して表している。そして、図２１を用いて前述したように、保留移行フラグがセットされると、下始動口１８への入球に対する保留（右特別図柄の保留）であるにも拘わらず、上始動口１７への入球に対する保留（左特別図柄の保留）と同じ変動パターンが決定され、この変動パターンがサブ制御基板２２０に出力されて、第１の演出表示部４７で演出用図柄の変動表示が行われる。図２７（ｃ）には、右特別図柄保留表示部４４ｂに蓄えられた保留（下始動口１８への入球に対する保留）であるにも拘わらず、保留演出表示部４９に保留が表示され、この保留を消化するために、第１の演出表示部４７で変動表示が行われる様子が示されている。
【０１７８】
このように本実施例の遊技機１では、上始動口１７に多数の遊技球が入球して、多数の保留が蓄えられている場合には、下始動口１８に遊技球が入球しても、遊技者には目立たない態様で変動表示を行うことで、複数の始動口が設けられているために遊技が複雑になってしまうことを回避するとともに、上始動口１７に対する保留が少なくなった場合には、下始動口１８への入球に対して蓄えられていた保留を移行させ、上始動口１７への保留と同様の態様で消化することで、演出用図柄の変動表示が途切れて遊技者が興趣を冷ましてしまうことも回避することが可能となっている。
【０１７９】
尚、上始動口１７への入球に対する保留が少なくなって、下始動口１８への入球に対して蓄えられた保留（右特別図柄の保留）を移行させる場合には、右特別図柄の全保留を一度に移行させても良いが、１つずつ移行させるようにしても良い。こうすれば、右特別図柄の保留を移行させていることが、遊技者に気付かれ難くすることが可能となる。
【０１８０】
あるいは、上始動口１７への入球に対する保留（左特別図柄の保留）と下始動口１８への入球に対する保留（右特別図柄の保留）とが蓄えられている場合は、左特別図柄の保留を優先して消化することとして、左特別図柄の保留が少なくなった場合に、右特別図柄の全保留を一度に移行させるようにしても良い。こうすれば、遊技者に得をしたような印象を与えることができるので、遊技に対する興趣を喚起することが可能となる。
【０１８１】
以上、本発明について各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１８２】
例えば、上述した実施例では、上始動口作動ゲート３６を遊技球が通過することで上始動口１７が開口状態となる例を説明したが、上始動口作動ゲート３６を遊技球が通過することで抽選を実行し、その抽選に当選した場合に上始動口１７を開口状態とすることとしてもよい。具体的には、上始動口作動ゲート３６を遊技球が通過することで普通図柄の変動表示を行う普通図柄表示装置を設け、所定時間の変動表示の後に普通図柄が所定の当り図柄で停止表示された場合に、上始動口１７を開口状態とするようにしてもよい。
【図面の簡単な説明】
【０１８３】
【図１】本実施例の遊技機の正面図である。
【図２】遊技盤の盤面構成を示す説明図である。
【図３】本実施例の遊技機に搭載された中央装置の大まかな構成を示す説明図である。
【図４】中央装置に設けられた図柄表示部の詳細な構成を示した説明図である。
【図５】中央装置に設けられた演出表示部の詳細な構成を示した説明図である。
【図６】本実施例の遊技機における制御回路の構成を示したブロック図である。
【図７】遊技の進行を制御するために行う遊技制御処理の大まかな流れを示したフローチャートである。
【図８】普通電動役物停止処理の流れを示すフローチャートである。
【図９】特別図柄遊技処理を開始するか否かを判断するために行う特別図柄遊技開始判断処理の前半部分の流れを示すフローチャートである。
【図１０】特別図柄遊技開始判断処理の後半部分の流れを示すフローチャートである。
【図１１】上始動口および下始動口に入球した順序を識別可能な状態で左右の特別図柄保留数が記憶されている様子を概念的に示した説明図である。
【図１２】特別図柄遊技処理の前半部分の流れを示したフローチャートである。
【図１３】特別図柄遊技処理の後半部分の流れを示したフローチャートである。
【図１４】特別図柄遊技処理の中で左特別図柄の保留を消化する際に行われる左特別図柄関連処理の流れを示すフローチャートである。
【図１５】左特別図柄の当否判定を行う処理の流れを示すフローチャートである。
【図１６】特別図柄の当否判定テーブルを例示した説明図である。
【図１７】左特別図柄の当り図柄を決定するために参照される当り図柄決定テーブルを例示した説明図である。
【図１８】左特別図柄関連処理の中で左特別図柄の変動パターンを設定する左特別図柄変動パターン設定処理の流れを示すフローチャートである。
【図１９】特別図柄遊技処理の中で右特別図柄について行われる右特別図柄関連処理の流れを示すフローチャートである。
【図２０】右特別図柄関連処理の中で右特別図柄の変動パターンを設定する右特別図柄変動パターン設定処理の一部の流れを示すフローチャートである。
【図２１】右特別図柄変動パターン設定処理の残りの部分を示すフローチャートである。
【図２２】特別電動役物遊技処理の一部の流れを示すフローチャートである。
【図２３】特別電動役物遊技処理の残りの部分の流れを示すフローチャートである。
【図２４】主制御基板からのコマンドに基づいて本実施例のサブ制御基板が実行する演出制御処理の前半部分の処理を示すフローチャートである。
【図２５】演出制御処理の後半部分の処理を示すフローチャートである。
【図２６】第２の演出表示部での変動表示で大当りが発生した場合に行われる演出の様子を例示した説明図である。
【図２７】下始動口への入球による保留を上始動口の保留に移行させることで第１の演出表示部での演出用図柄の変動表示が途切れることを回避する様子を例示した説明図である。
【符号の説明】
【０１８４】
１…パチンコ機、    １７…上始動口（第１始動口）、
１８…下始動口（第２始動口）、    ４０…中央装置、
４４ｂ…右特別図柄保留表示部（第２保留数表示装置）、
４７…第１の演出表示部（第１演出表示装置）、
４８…第２の演出表示部（第２演出表示装置）、
４９…保留演出表示部（保留数表示装置、第１保留数表示装置）、
２００…主制御基板、
２０１…ＣＰＵ（第１始動口開口手段、保留数変更表示手段、第２保留変動表示実行手段）、  ２０３…ＲＡＭ（第１保留数記憶手段、第２保留数記憶手段）、
２２０…サブ制御基板、  ２２１…ＣＰＵ
【図１】
2008149034.tif 000003
【図２】
2008149034.tif 000004
【図３】
2008149034.tif 000005
【図４】
2008149034.tif 000006
【図５】
2008149034.tif 000007
【図６】
2008149034.tif 000008
【図７】
2008149034.tif 000009
【図８】
2008149034.tif 000010
【図９】
2008149034.tif 000011
【図１０】
2008149034.tif 000012
【図１１】
2008149034.tif 000013
【図１２】
2008149034.tif 000014
【図１３】
2008149034.tif 000015
【図１４】
2008149034.tif 000016
【図１５】
2008149034.tif 000017
【図１６】
2008149034.tif 000018
【図１７】
2008149034.tif 000019
【図１８】
2008149034.tif 000020
【図１９】
2008149034.tif 000021
【図２０】
2008149034.tif 000022
【図２１】
2008149034.tif 000023
【図２２】
2008149034.tif 000024
【図２３】
2008149034.tif 000025
【図２４】
2008149034.tif 000026
【図２５】
2008149034.tif 000027
【図２６】
2008149034.tif 000028
【図２７】
2008149034.tif 000029